(57)【要約】  本発明は、無線通信システムにおけるデータを送信する方法が提供される。上記方法は、サービスデータを第１の集合の多重物理階層パイプ(ＰＬＰ)にマッピングするステップと、第１の集合の多重ＰＬＰを第１の集合の論理フレームにマッピングするステップと、第１の集合の論理フレームを含む第１の論理チャンネルを形成するステップと、マッピングされたサービスデータをターゲット伝達システムを介して送信するステップを有し、第１の集合の論理フレームの各々は同一のサイズを有する。
2015523765.tif 000002
【特許請求の範囲】
【請求項１】
無線通信システムにおけるデータを送信する方法であって、
サービスデータを多重物理階層パイプ(ＰＬＰ)にマッピングするステップと、
前記多重ＰＬＰを論理フレームにマッピングし、前記論理フレームを含む論理チャンネルを形成するステップと、
前記マッピングされたサービスデータをターゲット伝達システムを介して送信するステップと、
を有することを特徴とする方法。
【請求項２】
前記ＰＬＰを他の論理フレームにマッピングし、前記他の論理フレームを含む論理チャンネルを形成するステップをさらに有することを特徴とする請求項１に記載の方法。
【請求項３】
前記論理フレームと他の論理フレームの各々は、同一のサイズであり、前記同一のサイズである論理フレームの各々は、同一の個数のデータセル又は同一の送信確率を実際に含むことを特徴とする請求項２に記載の方法。
【請求項４】
前記他の論理フレームの各々は、異なるサイズを有し、異なる送信確率を前記論理フレームに含み、
第２の論理フレームの集合を含む第２の論理チャンネルを形成するステップをさらに有することを特徴とする請求項１に記載の方法。
【請求項５】
前記マッピングされたサービスデータは、マッピングされたサービスとマッピングされたサービスコンポーネントのうち少なくとも一つを含むことを特徴とする請求項４に記載の方法。
【請求項６】
前記サービスデータの送信要件によりリソースを選択するステップと、
前記ターゲット伝達システムを介して前記マッピングされたサービスデータを前記選択されたリソースで送信するステップと、を
さらに有することを特徴とする請求項５に記載の方法。
【請求項７】
前記論理チャンネルを形成するステップは、各論理チャンネルが前記ターゲット伝達システムの使用可能なリソースにより定義される送信確率を含む複数の論理チャンネルを形成するステップを有し、
前記使用可能なリソースは、物理ベアラで利用可能なリソースを含み、時間と帯域幅のうち少なくとも一つを含むことを特徴とする請求項６に記載の方法。
【請求項８】
第１の論理チャンネルを形成するステップは、論理データと論理シグナリングを両方とも伝送する第１の論理チャンネルを形成するステップを有することを特徴とする請求項７に記載の方法。
【請求項９】
前記ターゲット伝達システムを介して物理ベアラでの送信に対して異なる論理フレームを有する複数の論理チャンネルをグルーピングするステップをさらに有することを特徴とする請求項８に記載の方法。
【請求項１０】
複数の物理フレームを通してスパンされる論理チャンネルを介して単一チューナを用いて無線周波数チャンネルホッピングをトラッキングするステップをさらに有することを特徴とする請求項９に記載の方法。
【請求項１１】
前記少なくとも一つの物理フレームは、階層１-プリアンブル(Ｌ１-ＰＲＥ)シグナリングフィールドを伝達する最後のセルと現在物理フレームで開始される第１の論理フレームの第１のセルとの間のセルのギャップを示すフィールド(Ｌ１-ＰＯＳＴ_ＤＥＬＴＡ)を含む前記(Ｌ１-ＰＲＥ)シグナリングフィールドを含み、
前記Ｌ１_ＰＲＥは、前記論理チャンネルが現在物理フレームで伝達される論理チャンネルのグループの識別子(ＩＤ)を提供するフィールド(ＬＣ_ＧＲＯＵＰ_ＩＤ)、現在論理チャンネルグループの論理チャンネルメンバーの全体個数を表すフィールド(ＬＣ_ＮＵＭ)、前記現在物理フレームで伝達される論理チャンネルの識別子(ＩＤ)を表すフィールド(ＬＣ_ＩＤ)、及び現在物理フレームと現在論理チャンネルを伝達する次の物理フレームとの間の相対的タイミングを表すフィールド(ＬＣ_Ｎｅｘｔ_ｆｒａｍｅ_ｄｅｌｔａ)のうちいずれか一つを含むことを特徴とする請求項９に記載の方法。
【請求項１２】
前記ターゲット伝達システムの少なくとも一つのサービス要求事項を決定するステップと、
前記決定された少なくとも一つのサービス要求事項に基づいて複数の論理フレームを形成するステップと、
をさらに有することを特徴とする請求項１に記載の方法。
【請求項１３】
前記論理フレームに多重ＰＬＰをマッピングするステップは、第１の集合の複数の物理階層サービス特性を前記第１の集合の論理フレームにマッピングするステップを有することを特徴とする請求項１２に記載の方法。
【請求項１４】
前記第１の集合の論理フレームに前記多重ＰＬＰをマッピングするステップは、第２のターゲット伝達システムの少なくとも一つの未来拡張フレーム(ＦＥＦ)スロット内でデータを追加的に付加するステップを有することを特徴とする請求項１３に記載の方法。
【請求項１５】
同一の論理チャンネルの少なくとも２個の論理フレームの論理スーパーフレームを形成するステップをさらに有することを特徴とする請求項１に記載の方法。
【請求項１６】
構成可能なシグナリングフィールド(Ｌ１-ＣＯＮＦ)で論理スーパーフレームを動的に構成するステップをさらに有することを特徴とする請求項１に記載の方法。
【請求項１７】
前記構成可能なシグナリングフィールド(Ｌ１-ＣＯＮＦ)は、前記現在論理チャンネルの現在論理スーパーでの複数の論理フレームを表すフィールド(ＬＣ_ＮＵＭ_ＬＦ)と、前記現在論理チャンネルの現在論理スーパーの複数の論理フレームのセルでのサイズを表すフィールド(ＬＣ_ＬＦ_ＳＩＺＥ)と、前記現在論理チャンネルの前記論理フレームで伝達される該当ＰＬＰを伝達する論理スーパーフレームの第１の論理フレームのインデックスを表すフィールド(ＰＬＰ_ＦＩＲＳＴ_ＬＦ_ＩＤＸ)と、論理スーパー内の該当するＰＬＰからのセルを伝達する任意の２個の論理フレーム間の複数の論理フレームでの区間(ＩＪＵＭＰ)を指示するフィールド(ＰＬＰ_ＬＦ_ＩＮＴＥＲＶＡＬ)のうち少なくとも一つを含むことを特徴とする請求項１６に記載の方法。
【請求項１８】
前記論理スーパーフレームの複数の論理フレームを介してジャンプするサービスデータＰＬＰを生成するステップをさらに有することを特徴とする請求項１６に記載の方法。
【請求項１９】
一つ以上のデータ部分を含む前記多数のＰＬＰの固有なマッピングを実際に有する論理スーパーフレーム別に論理フレームを形成するステップをさらに有することを特徴とする請求項１６に記載の方法。
【請求項２０】
前記現在論理チャンネルのデータＰＬＰごとに所定の係数(ＰＬＰ_ＬＦ_ＩＮＴＥＲＶＡＬ)で割り切れる論理スーパーフレーム別に前記論理フレームの長さを構成するステップをさらに有することを特徴とする請求項１８に記載の方法。
【請求項２１】
データＰＬＰに対して論理スーパーフレーム別に整数個の順方向誤り訂正(ＦＥＣ)ブロックが存在するように、論理スーパーフレーム別に複数の論理フレームを構成するステップをさらに有することを特徴とする請求項１６に記載の方法。
【請求項２２】
サービスデータを多重物理階層パイプ(ＰＬＰ)にマッピングし、前記ＰＬＰを論理フレームにマッピングし、前記論理フレームを含む論理チャンネルを形成し、前記マッピングされたサービスデータをターゲット伝達システムを介して伝送するように配列されるプロセッサを含むことを特徴とするネットワークゲートウェイ。
【発明の詳細な説明】
【技術分野】
【０００１】
本発明は無線通信システムに関するものである。より具体的には、本発明は、排他的でなく、デジタルビデオブロードキャスティング(digital  video  broadcasting)システムにおいてデータストリームの送受信に関連した信号プロセッサ、通信ユニット、及び通信システム、及びその方法に関する。
【背景技術】
【０００２】
デジタルビデオ放送(ＤＶＢ)システムのような無線放送システムは、フレームのシーケンス形態でデータを送信できる。デジタルビデオ放送システムは、例えば、ＤＶＢ-Ｔ２(Terrestrial  2nd  Generation)標準、デジタルビデオブロードキャスティング次世代携帯用(Digital  Video  Broadcasting  Next  Generation  Handheld：ＤＶＢ-ＮＧＨ)標準により動作し、あるいは次のような標準のファミリー、すなわちＡＴＳＣ(Advanced  Televisions  Systems  Committee)、ＩＳＤＢ(Integrated  Services  Digital  Broadcasting)、あるいはＤＭＢ(Digital  Multimedia  Broadcasting)により動作することができる。各フレームは、一般的にプリアンブルセクションとデータセクションを含み、プリアンブルセクション及びデータセクションは時間-多重化される。データセクションは、物理階層パイプ(ＰＬＰ)と称される複数のデータストリームの形態で配列されたデータを伝達できる。ＰＬＰは、例えば、ユーザーに提供されるビデオチャンネルのようなサービスを伝達できる。フレームからのデータの受信及びデータストリームの受信は、シグナリングが帯域外(Out-of-Band：ＯＢ)シグナリングと称される場合、及び/又はこのシグナリングがデータセクションで伝達される場合、一般的に前フレームでシグナリングが帯域内(In-Band：ＩＢ)シグナリングと称される場合、一般的にフレームのプリアンブルで伝達されるシグナリングにより支援されることができる。シグナリングは、物理階層シグナリング又は階層１(Ｌ１)シグナリングと称される。
【０００３】
フレームのプリアンブルセクションは、Ｌ１-Ｃｏｎｆｉｇ部分及びＬ１-Ｄｙｎ部分を含む多様な部分を含むことができる。Ｌ１-Ｃｏｎｆｉｇ部分は、一般的にスーパーフレームの各フレームに対して有効な情報を伝達し、一般的にスーパーフレームの各フレームに対して同一である。Ｌ１-Ｄｙｎ部分は、１個のフレームから次のフレームへ情報を伝送する。
【０００４】
信号圧縮技術の使用増加及び特に移動環境で非常に強くなり得る低いデータレートサービスの提供により、フレームのシーケンスにより伝達されるＰＬＰの個数は大きく、例えばＤＶＢ-Ｔ２では２５５個のＰＬＰまでサポートできる。送信された情報のうち、少なくとも一部が異なるＰＬＰ間に変更されるため、プリアンブル部分で送信されるシグナリング情報は、データ容量の側面でフレーム当たり大きいオーバーヘッドを示すことができる。特に、Ｌ１-Ｃｏｎｆｉｇ部分は、一般的にプリアンブルセクションのシグナリング情報の高いレート(例えば、６０％以上)を減少させる。したがって、Ｌ１-Ｃｏｎｆｉｇによるオーバーヘッドは、非常に高い。
【０００５】
ＤＶＢ-Ｔ２のようなマルチメディアコンテンツの提供をサポートするデジタルビデオ放送システムは、一般的に次のようなリソースを有する。すなわち、各々所定の帯域幅Ｂを有する無線周波数(ＲＦ)の個数Ｎ(ここで、Ｎ-１)及び各々にＲＦ周波数で信号が与えられた時区間Ｄを占める。
【０００６】
図１は、従来技術によるデータの転送ストリームの提供のための一般的なフレーム構造を示す。
【０００７】
特に、図１は、データの転送ストリームの提供のための一般的なフレーム構成１００を示す。データサービス１０２，１０４は、ターゲットＤＶＢシステムを通じる伝達のために、一般的に転送ストリーム、例えばデータパケットのストリーム１０６で配列される。ＤＶＢ-ＮＧＨのようなマルチメディアデータ構造を設計する一つの目的は、デジタルビデオ放送システムの物理リソース内で転送ストリームの伝達を効率的に、柔軟に構造化することにある。
【０００８】
各送信されるフレーム(及び連続して受信されるフレーム)１１８は、一般的にプリアンブルセクション１１２とデータセクション１１４を含み、プリアンブルセクション１１２及びデータセクション１１４は、時間-多重化される。送信される受信フレーム１１８は、簡単な例として、２個の無線周波数、すなわちＲＦ１  １０８，ＲＦ２  １１０で送信される。データセクション１１４は、物理階層パイプ(ＰＬＰ)と称される複数のデータストリームの形態で配列されるデータを伝達できる。物理階層パイプは、例えば、ユーザーに提供されるビデオチャンネルのようなサービスを伝達できる。受信されたフレームから復号化されるデータの受信は、フレームのプリアンブルセクション１１２で一般的に伝達されるシグナリングフィールド/データ/ビットの使用により支援できる。シグナリングは、たびたび物理階層シグナリング、又はＬ１シグナリングと称される。シグナリングは、データを復号化するために使用される変調又は符号化方式を示し、例えば、復号化されるデータフィールドのセクション、又はデータセクション内のデータストリームの位置を示す。
【０００９】
デジタルビデオブロードキャスティングフレーム構造は、ＤＶＢ物理フレーム構造内で物理的スロットを提供でき、物理スロットは、例えば未来拡張フレーム(Future  Extension  Frame：ＦＥＦ)スロット１１６と称される、将来的な使用のために標準で予約され、ＦＥＦスロット１１６は、所定のＤＶＢ-Ｔ２信号で時間多重化される。例えば、ＦＥＦスロット１１６は、一般的な固定デジタルビデオブロードキャスティング受信器による受信を意図する信号の送信だけでなく、移動デジタルビデオブロードキャスティング受信器による受信を意図する信号の送信のために提供することができる。
【００１０】
ＤＶＢシステムは、特に、ＮＧＨ受信器のような携帯用デバイスによる受信を特に意図する信号の送信のために提供することができる。上記信号は、例えば、下位帯域幅になり、固定受信器による受信を意図する信号より強固な(robust)変調及び符号化を有することができる。
【００１１】
最近では、携帯用受信器による受信を意図するＤＶＢ-ＮＧＨ信号の送信に対して、ＦＥＦスロットのようなＤＶＢ-Ｔ２で追加物理スロットを使用する提案が提示されている。通常、携帯用受信器による受信を意図する信号の送信のためのフレームは、フレームに対するシグナリング情報を含む固定の受信器を意図する信号の送信に対するフレームのシーケンスの追加物理スロット内で送信され、フレームは、一般的に各ＦＥＦスロット１１６でプリアンブルとして送信される。
【発明の概要】
【発明が解決しようとする課題】
【００１２】
しかしながら、上記のような方式は、短い物理スロット区間と比較的高いシグナリングオーバーヘッドにより制限される容量を受けるようになる。さらに、上記のような方式は、使用に有用な比較的少数のＰＬＰの結果として獲得できる制限された容量により、獲得可能な統計的多重化利得(statistical  multiplexing  gain)の側面で制限されるはずである。
【００１３】
したがって、従来技術で一つ以上の短所を処理できるＤＶＢでデータストリームの送信及び受信に関連した信号プロセッサ、通信ユニット、無線システム及び方法に対する必要性が存在する。
【００１４】
上記した情報は、本発明の記載の理解を助けるために、背景知識として開示される。本発明に関連した従来技術として適用されるか否かについては、任意の決定及び任意の主張がなされる。
【課題を解決するための手段】
【００１５】
上記のような目的を達成するために、本発明の一態様によれば、無線通信システムにおけるデータを送信する方法が提供される。その方法は、サービスデータを多重物理階層パイプ(ＰＬＰ)にマッピングするステップと、多重ＰＬＰを論理フレームにマッピングし、論理フレームを含む論理チャンネルを形成するステップと、マッピングされたサービスデータをターゲット伝達システムを介して送信するステップとを有する。
【００１６】
本発明の他の態様によれば、サービスデータを多重物理階層パイプ(ＰＬＰ)にマッピングし、ＰＬＰを論理フレームにマッピングし、論理フレームを含む論理チャンネルを形成し、マッピングされたサービスデータをターゲット伝達システムを介して伝送するように配列されるプロセッサを含むネットワークゲートウェイが提供される。
【００１７】
本発明による実施形態の上記及び他の態様、特徴、及び利点は、添付の図面と共に述べる以下の詳細な説明から、一層明らかになるはずである。
【図面の簡単な説明】
【００１８】
【図１】従来技術により、データの転送ストリームの提供のための一般的なフレーム構造を示す図である。
【図２】本発明の一実施形態により使用されるデータフレームを示す概略図である。
【図３Ａ】本発明の一実施形態によるフレーム構造を示す概略図である。
【図３Ｂ】本発明の一実施形態によるフレームのＬ１-Ｃｏｎｆｉｇシグナリング部分で伝達されるデータの一例を示す表である。
【図４】本発明の第１の実施形態による異なるタイプで構成データアイテムを配列するプロセスを示すフローチャートである。
【図５Ａ】本発明の第１の実施形態による送信装置により遂行されるプロセスを示すフローチャートである。
【図５Ｂ】本発明の第１の実施形態による受信器装置により遂行されるプロセスを示すフローチャートである。
【図６Ａ】本発明の第２の実施形態によるフレームのシーケンスでデータ構成アイテムの第１の実施形態による配列を示す概略図である。
【図６Ｂ】本発明の第１の実施形態によるフレームのシーケンスでデータ構成アイテムの第２の実施形態による配列を示す概略図である。
【図７】本発明の第２の実施形態による異なるタイプで構成データアイテムを配列するプロセスを示すフローチャートである。
【図８Ａ】本発明の第２の実施形態による送信装置により遂行されるプロセスを示すフローチャートである。
【図８Ｂ】本発明の第２の実施形態による受信器装置により遂行されるプロセスを示すフローチャートである。
【図９】本発明の実施形態によるフレームのシーケンスでデータ構成アイテムの第３の実施形態による配列を示す概略図である。
【図１０】本発明の実施形態による復号化されるフレーム構造で伝達されるデータを示す概略図である。
【図１１】本発明の実施形態により使用されるシステムを示す概略図である。
【図１２】本発明の一実施形態によるフレームのＬ１-Ｃｏｎｆｉｇシグナリング部分で伝達されるデータの第２の実施形態を示す表である。
【図１３Ａ】本発明の一実施形態によるフレームのＬ１-Ｃｏｎｆｉｇシグナリング部分で伝達されるデータの一例を示す表である。
【図１３Ｂ】本発明の一実施形態によるフレームのＬ１-Ｃｏｎｆｉｇシグナリング部分で伝達されるデータの一例を示す表である。
【図１４Ａ】本発明の一実施形態によるフレームのシーケンスでデータ構成アイテムの実施形態による配列を示す概略図である。
【図１４Ｂ】本発明の一実施形態によるフレームのシーケンスでデータ構成アイテムの実施形態による配列を示す概略図である。
【図１５】本発明の一部実施形態により適用されるＤＶＢシステムの一部エレメントの概要を示す図である。
【図１６】本発明の一部実施形態により適用されるＤＶＢの一部エレメントの概要を示す図である。
【図１７】本発明の一部実施形態による論理フレーム構造の一例を示す図である。
【図１８】本発明の一部実施形態による論理フレーム構造でＰＬＰをマッピングするメカニズムの一例を示す図である。
【図１９】本発明の一部実施形態により、識別されるフレームタイプを有する論理フレーム構造でＰＬＰをマッピングするメカニズムの一例を示す図である。
【図２０】本発明の一部実施形態による論理フレーム構造で入力ストリーム同期フィールドを含むメカニズムの一例を示す図である。
【図２１】本発明の一部実施形態による論理スーパーフレーム構造の一例を示す図である。
【図２２】本発明の一部実施形態による論理フレームのシーケンスを含む論理チャンネル構造の一例を示す図でる。
【図２３】本発明の一部実施形態による論理フレームのシーケンスを含む論理チャンネルタイプＡ構造の一例を示す図である。
【図２４】本発明の一部実施形態による論理フレームのシーケンスを含む論理チャンネルタイプＢ構造の一例を示す図である。
【図２５】本発明の一部実施形態による論理フレームのシーケンスを含む論理チャンネルタイプＣ構造の一例を示す図である。
【図２６】本発明の一部実施形態による論理フレームのシーケンスを含む論理チャンネルタイプＤ構造の一例を示す図である。
【図２７Ａ】本発明の一部実施形態による論理チャンネル構造でＬ１_Ｐｒｅシグナリングフィールドの表の一例を示す図である。
【図２７Ｂ】本発明の一部実施形態による論理チャンネル構造でＬ１_Ｐｒｅシグナリングフィールドの表の一例を示す図である。
【図２８】本発明の一部実施形態による論理チャンネルタイプに対するＬ１_Ｐｒｅシグナリングフィールドの表の一例を示す図である。
【図２９】本発明の一部実施形態による論理チャンネルを受信する受信器の初期スキャニング動作のフローチャートの一例を示す図である。
【図３０】本発明の一部実施形態による論理チャンネルを受信する受信器のノーマル連続受信動作のフローチャートの一例を示す図である。
【図３１】本発明の一部実施形態による伝達システムでデータサービスの伝送のためのステージの一般的概要を示す図である。
【図３２】本発明の実施形態による信号プロセッシング機能性を実現するために採用される一般的なコンピュータシステムを示す図である。
【発明を実施するための形態】
【００１９】
以下、本発明の望ましい実施形態を添付の図面を参照して詳細に説明する。
【００２０】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、当業者に良く知られている機能や構成に関する具体的な説明は、明瞭性と簡潔性のために省略する。
【００２１】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２２】
本願明細書に記載の各要素は、文脈中に特に明示しない限り、複数形を含むことは、当業者には理解できるものである。したがって、例えば、コンポーネント表面（a component suＲＦace）”との記載は、１つ又は複数の表面を含む。
【００２３】
本発明の実施形態は、例えば２世代地上波(2nd generation terrestrial：ＤＶＢ-Ｔ２)システムに基づいたデジタルビデオブロードキャスティング次世代携帯用(Digital Video Broadcasting-Next Generation Handheld：ＤＶＢ-ＮＧＨ)標準のコンテキストで説明される。
【００２４】
しかしながら、これは、単なる一例であり、他の実施形態が他の無線ブロードキャストシステムに関連され、実施形態は、デジタルビデオ信号の送信の使用に限定されないことを理解することができる。
【００２５】
本発明の一部実施形態では、データは、直交周波数分割多重化(Orthogonal   Frequency-Division Multiplexing：ＯＦＤＭ)を使用して送信される。下記のような実施形態では、物理階層パイプ(ＰＬＰ)でデータの送信に関連するが、本発明は、このような配列のみに限定されることなく、他のタイプのデータストリームが使用され得る。
【００２６】
図２は、本発明の実施形態によるデータの送信に使用されるフレーム２００の一例を示す。フレーム２００は、プリアンブルセクション２０２とデータセクション２０４を含み、プリアンブルセクション２０２は、シグナリング部分(signaling  portion)、“Ｐ１”２０６、“Ｌ１_ｐｒｅ”２０８、“Ｌ１-Ｃｏｎｆｉｇ”２１０、“Ｌ１-Ｄｙｎ”２１２、“Ｌ１-Ｄｙｎａｍｉｃ  Ｅｘｔｅｎｓｉｏｎ”２１４、及びＣＲＣ(Cyclic  Redundancy  Check)２１６、及び“Ｌ１  Ｐａｄｄｉｎｇ”２１８を含む。データセクションは、ＰＬＰで送信されるデータのようなペイロードデータを伝達し、図１に示されていないが、データセクション２０４は、一般的に他のタイプのペイロードデータを送信する複数の部分を含む。
【００２７】
一般に、Ｐ１シグナリング部分２０６は、プリアンブルを識別するデータを含む。Ｌ１_Ｐｒｅシグナリング部分２０８は、一般的にプリアンブルの残り部分を受信するために必要となる変調及び符号化方式に少なくとも関連するシグナリング情報を含む。
【００２８】
上記したように、Ｌ１-Ｃｏｎｆｉｇシグナリング部分２１０は、所定のスーパーフレームの各フレーム２００に対して有効な情報を伝達し、一般的にスーパーフレームの各フレームに対して同一であり、Ｌ１-Ｃｏｎｆｉｇシグナリング部分２１０により伝達される情報は、スーパーフレーム内で伝達される複数のＰＬＰを表すデータアイテム、あるいは関連したＰＬＰにより使用される変調タイプのような構成データを含む。さらに、Ｌ１-Ｃｏｎｆｉｇシグナリング部分２１０で伝達される構成データアイテムの例は、下記のように説明される。ここで、使用される用語“構成データアイテム”は、例えば所定のＰＬＰに関連して与えられたフレームのシグナリング部分に含まれるすべての構成データを称し、あるいは例えば、このデータの一部分を称することができる。
【００２９】
上記したように、Ｌ１-Ｄｙｎシグナリング部分２１２は、フレームごとに変更される情報を伝達し、フレーム２００内のＰＬＰを復号化することに関連する。例えば、Ｌ１-Ｄｙｎシグナリング部分２１２は、スーパーフレーム内のフレーム２００のインデックス及び/又は一例としてＰＬＰの開示アドレスを含むことができる。
【００３０】
Ｌ１-Ｄｙｎａｍｉｃ  Ｅｘｔｅｎｓｉｏｎシグナリング部分２１４は、他の部分に含まれていない追加的なシグナリング情報の包含に対して許与する。ＣＲＣ部分２１６は、受信器で送信エラーの検出のためのＣＲＣコードを含む。Ｌ１  Ｐａｄｄｉｎｇ部分２１８は、可変長フィールドであり、ＣＲＣフィールドの次に挿入されてＬ１-ｐｏｓｔシグナリングの複数ののＬＤＰＣ(Low  Density  Parity  Check)ブロック(すなわち、Ｐｒｅシグナリング部分２０８の次の部分)は、Ｌ１-ｐｏｓｔシグナリングが複数のブロックにセグメントされ、これらブロックが別途に符号化される場合に同一の情報サイズを有することを保証する。
【００３１】
プリアンブル２０２の異なるシグナリング部分は、送信のために符号化され、あるいは別途に符号化され得る。例えば、Ｌ１-Ｃｏｎｆｉｇシグナリング部分２１０は、Ｌ１-Ｄｙｎ部分２１２と共に符号化され、あるいは別途に符号化され得る。
【００３２】
上記したように、データセクション２０４は、ＰＬＰで配列されたデータを伝達する。しかしながら、各ＰＬＰは、フレーム２００ごとに必ずしもマッピングされる必要はないことがわかる。
【００３３】
本発明の実施形態において、異なる反復長は、異なるタイプの構成データアイテムに対して設定され、それによって異なるタイプの構成アイテムが複数のフレームを含むフレーム構造内で異なる長さに従って反復される。
【００３４】
図３Ａは、本発明の一実施形態による異なる構成データアイテムＰｎｍがフレーム構造３００の各フレームで送信されるｎ個のフレームを含むフレーム構造３００の一例を示す。図３Ａは、各フレームのＬ１-Ｃｏｎｆｉｇシグナリング部分２１０のデータを示す。フレームの他の部分は、便宜上省略する。
【００３５】
Ｌ１-Ｃｏｎｆｉｇシグナリング部分２１０に含まれているデータは、定数データ(constant  data)３０２と構成データ３０４を含む。定数データ３０２は、任意の特定ＰＬＰに対して独立的な構成情報を含む。一般的に、定数データ３０２は、時間周波数スライス(Time  Frequency  Slicing：ＴＦＳ)アイテム、未来拡張フレーム(Future  Extension  Frame：ＦＥＦ)シグナリング情報アイテム、及び/又は各フレームで送信されることが要求される補助ストリーム(auxiliary  stream)情報アイテムを含む。
【００３６】
構成データ３０４は、各々１個以上のＰＬＰに関連した構成データアイテムを含み、その構成データアイテムに関連する１個以上のＰＬＰを受信するのに使用するために存在する。構成データアイテムは、異なるタイプの構成データアイテムの各々のために設定される異なる反復長を有する、異なるタイプ３０４ａ，…，３０４Ｎに分割される。ここで、使用される表示において、Ｐｎｍは、反復長ｎを有する構成データアイテムを表し、それによって構成データアイテムはｎフレームごとに反復され、まずフレームｍで送信される。図３Ａに示されていないが、フレームは、またダミーＰＬＰに関連するダミーデータのような追加データを含むことができる。このデータには、反復長が割り当てられることができ、それについては以下に具体的に説明する。
【００３７】
したがって、図３Ａの実施形態において、構成データアイテムＰ11は、フレームごとに反復され、構成データアイテムＰ21はフレーム１，３，５,…で反復され、構成データアイテムＰ22はフレーム２，４，６，…で反復される。図示した実施形態において、最低反復長の集合は、ｎフレームごとに反復される構成データアイテムＰNmに対するものである。したがって、反復長ｎは、反復長ｎを有する一つのタイプの構成データアイテムが反復される前にフレーム構造で連続して後続するフレーム(ｎ-１)を定義する。
【００３８】
したがって、各構成データアイテムは、フレーム構造３００で少なくとも１回含まれる。しかしながら、全構成データアイテムがフレーム構造３００の各フレームで反復されないため、各フレームで送信されるように要求されるデータがほとんどなく、すべての構成データアイテムがフレームごとに送信される従来技術の方法に比べてシグナリングオーバーヘッドの側面で節約することができる。
【００３９】
さらに、異なる反復長が異なるタイプの構成データアイテムに対して設定されるため、受信器で、例えば初期化又はチャンネル変更のイベントで発生する復号化での遅延(“ザッピング(zapping)”遅延)は、例えば、所定の構成データアイテムにＰＬＰのサービス要求事項に従って制御できる(ｎフレームごとに反復される構成データアイテムを受信する場合の平均遅延は、各フレーム長のｎ/２倍となる)。したがって、長い遅延が望ましくないＰＬＰに関連した構成データアイテムは、遅延が許容されるＰＬＰに関連する構成データアイテムより低い反復長が割り当てられる。
【００４０】
一部の場合に、同一のサービスの異なる部分に関連したデータを伝達する異なるＰＬＰに対して異なる反復長を設定することが望ましく、それによって、例えばサービスの基本バージョンは、実際に使用可能になるサービスの向上したバージョンを有し、最小期待遅延が提供され得る。サービスの基本バージョンは、例えば同一のサービスの多重入力多重出力(Multiple-Input  and  Multiple-Output：ＭＩＭＯ)構成を使用する向上したバージョンを有する単一入力単一出力(Single-Input  and  Single-Output：ＳＩＳＯ)構成を使用することができる。スケーラブルビデオ符号化(Scalable  Video  Coding：ＳＶＣ)方式を使用する送信の場合において、上記方式の基本階層を受信するための構成データアイテムは、上記方式の向上した階層を受信するための構成データアイテムより高い反復長で送信され、それによって受信器は、初期にベースストリームを復号化し、ユーザーに送信を表示でき、向上した階層に関連する構成データアイテムを待機する必要なしに、直ちにベース階層に対する構成データアイテムが受信されたことを表示することができる。
【００４１】
図３Ａに示すフレーム構造３００は、Ｎ個のフレーム(送信に対して最も長い反復長と同一の個数)のみを含むが、本発明の実施形態により、送信されるデータによってフレーム構造の長さが制限されないことを理解することができる。例えば、一部の実施形態では、フレーム構造の長さがすべてのフレーム反復長の最小公倍数と同一であることもある。フレーム構造のフレームは、スーパーフレームで配列され得る。送信に対して設定される最大反復長又は最大サイクル長は、スーパーフレームの長さがＮと同一であり、あるいはＮの倍数と同一であるように選択することができる。
【００４２】
図３Ｂは、本発明の一実施形態により、フレームのＬ１-Ｃｏｎｆｉｇシグナリング部分２１０の望ましい該当データサイズを有する定数データ３０２と構成データ３０４の一例を示す表である。特に、定数データ３０２は、各フレームに含まれている構成データ３０４に対するＰＬＰの個数を表すデータアイテム“Ｎｕｍ_ＰＬＰ_ｃｏｎｆｉｇ”３０２ａを含む。構成データ３０４は、多様な構成データアイテムを含む。“構成データアイテム”は、構成データ内の単一フィールドに含まれているデータ又は関連フィールドの集合に含まれているデータに関連することに留意しなければならない。この実施形態で、ＰＬＰの識別子は、構成データアイテム“ＰＬＰ_ＩＤ”３０６で識別される。一実施形態による新たなフィールドで、構成データアイテム“Ｌ１Ｃｏｎｆｉｇ_Ｒｅｐｅｔｉｔｉｏｎ_Ｌｅｎｇｔｈ”３０８は、識別されたＰＬＰに関連する構成データアイテムの反復長を表す。ここで、新たなフィールドとして示されるが、一部実施形態では、“Ｌ１Ｃｏｎｆｉｇ_Ｒｅｐｅｔｉｔｉｏｎ_Ｌｅｎｇｔｈ”３０８は、“Ｒｓｅｒｖｅｄ_１”フィールドのような拡張フィールドに含まれる。
【００４３】
本発明の一部実施形態では、構成データアイテムは、その反復長に基づいて送信に対して整列され、それによって低い反復長を有する構成データアイテムは、より高い反復長を有する構成データアイテム前に送信される。同一の反復長を有する構成データアイテムは、また構成データアイテムが関連するＰＬＰのＰＬＰ_ＩＤ３０６の順に送信されるように整列でき、例えば、構成データアイテムは、昇順に整列することができる。予想可能な方式を使用して構成データアイテムを整列することによって、受信器は、連続して関連フレームで送信される構成データアイテムに関連したＰＬＰを予測でき、それに関しては以下により詳細に説明する。
【００４４】
＜第１の実施形態による送信方法＞
図４は、本発明の一実施形態による異なるタイプの構成データアイテムを配列する第１の実施形態による方向を示すフローチャートである。ステップＳ４００で、所定の反復長ｎに対して、所望の反復長ｎを有するＱｎ個の割り当てられないＰＬＰの集合(ここで、Ｓｎと称する)が決定される。上記のように、所望の反復長は、、ＰＬＰの各々に関して、ネットワークオペレータにより設定されるサービス要求事項の識別に基づいて決定することができる。
【００４５】
ステップＳ４０２で、Ｑｎがｎと同一であるか、あるいはｎの倍数と同一であるかが決定される(すなわち、ｎが４である場合、ＱＮが４，８，１２，…であるか、あるいは４の倍数でない数字であるかを判定する)。Ｑｎがｎ、あるいはその倍数と同一でないと判定される場合、ｎ＋１の所望の反復長を有するＰＬＰに関する構成データは、集合Ｓｎに追加され、それによってＱｎの値はステップＳ４０４で１だけ増加する。このステップは、ｎ＋１の反復長を要求するＰＬＰに対するサービスが低下を体験しないという観察に基づいて遂行され、ｎに反復長を減少させることによって改善される。ステップＳ４０４以後に、プロセスは、ステップＳ４０２に戻り、ステップＳ４０２及びＳ４０４は、Ｑｎの値がｎ又はｎの倍数と同一に決定されるまで反復される。
【００４６】
ステップＳ４０２で、Ｑｎがｎ又はｎの倍数と同一であると判定される場合、反復長ｎで該当する構成データアイテムが送信されるＰＬＰの個数Ｐｎは、ステップＳ４０６でＱｎに設定される。すなわち、Ｓｎに含まれている構成データアイテムは、Ｑｎがｎ又はｎの倍数と同一である条件を満たすために図２を参照して上記したデータタイプ２０４ａ，２０４ｂ，２０４ｃ，及び２０４Ｎの各々に該当するＳ１，Ｓ２，Ｓ３，及びＳＮを有する反復長ｎを有するタイプであるカテゴリーとなる。
【００４７】
その後、プロセスは、Ｓｎに含まれる構成データアイテムが図２を参照して上記したデータアイテムＰｎｍに該当するｎ個のグループＰｎ１，…，Ｐｎｎにさらにカテゴリー化されるステップＳ４０８に進行する。一般的に、所定の値ｎに対してＰｎｍは、上記値ｍに関係なしに同一の個数のＰＬＰに関連した構成データアイテムを含むように選択される。
【００４８】
ステップＳ４１０では、図４のプロセスで該当する構成データアイテムが割り当てられない(すなわち、いかなる反復長も設定されない)ＰＬＰが存在するか否かを判定する。まだ割り当てられない構成データアイテムが存在しないと決定される場合、ステップＳ４１２で、ｎの値は増加し、プロセスはステップＳ４００に戻り、増加したｎの値を用いて反復される。また、割り当てられる構成データアイテムが存在しない場合、このプロセスは、以前ステップで割り当てられたフレームによるデータの送信が開始されるステップＳ４１４に進行する。
【００４９】
最小値と最大値との間のｎの値に対してこのプロセスを増加させて反復することによって、すべてのＰＬＰに対して構成データアイテムは、サービス品質が上記したような所望レベルに維持されることを保証する、ＰＬＰに関連したサービス要求事項に基づいて決定される所望の反復長以下の値に設定される反復長を有する異なるタイプにカテゴリー化される。同時に、所望する長さ未満の反復長を有するＰＬＰの個数は最小に維持されるため、各フレームですべての構成データアイテムを反復しないことによって達成されるシグナリングオーバーヘッドでの節約は最大化することができる。
【００５０】
上記プロセスで、ステップＳ４０４で、ｎ＋１の所望反復長を有するＰＬＰが存在すると仮定することに留意すべきである。上記のようなＰＬＰが存在しない場合、ｎ＋１以上の所望する反復を有するＰＬＰに対する構成データアイテムを使用することができる。すべてのＰＬＰに対する構成データが既に割り当てられている場合(すなわち、ｎが送信されるＰＬＰに対する最大値である場合)、ダミーＰＬＰに関連したダミー構成データアイテムの代わりに使用する。追加的に又は代替的に、一つ以上の既に割り当てられたＰＬＰに関連した構成データは、反復されてＱｎがｎと同一であり、あるいはｎの倍数と同一であることを保証する。
【００５１】
ステップＳ４０６で、構成データアイテムの各タイプを所定のタイプの各グループは、同一の個数のＰＬＰに関連するようにｎ個のグループに分割することにより、フレーム構造でフレームの各々が定数個のデータアイテムを有することが、すなわち各フレームに対するシグナリング容量が定数を維持させることを保証できる。これは、スケジューリングを簡略化するという利点を有する。
【００５２】
＜表１＞は、図４を参照して示す方式と類似した方式で構成データアイテムを配列するアルゴリズムに対する疑似コード(pseudo-code)の一例を示す。
【００５３】
【表１】
2015523765.tif 000003
【００５４】
図５Ａは、第１の実施形態の送信方法によりデータを送信する場合、送信装置により遂行されるプロセスの一例を示す。
【００５５】
ステップＳ５００で、行(raw)Ｌ１  ｃｏｎｆｉｇシグナリングデータの形態となり得る構成データアイテムが生成される。ステップＳ５０２で、送信装置は、分割処理(partitioning)が可能であるか否か、すなわち第１の実施形態の送信方法による送信方法が使用されるか否かを判定する。送信方法が使用されないと判定される場合、プロセスは、構成データアイテムが既存の方法別に、フレームごとに送信に対してスケジューリングされるステップＳ５０４に進行する。その後、構成データアイテムは、ステップＳ５０６で、送信装置のフレーム生成器によりフレーム構造(サイクル)のフレームにより生成され、その次に送信される。
【００５６】
ステップＳ５０２で、第１の実施形態の送信方法による方法が遂行されると判定される場合、このプロセスは、送信装置が送信される各ＰＬＰに対する反復長を決定するステップＳ５０８に進行する。これは、図４を参照して上記したような方法によって遂行できる。
【００５７】
ステップＳ５１０で、送信装置は、送信される各ＰＬＰに対して、サイクル内で位置及び反復パターンを決定する。例えば、反復長ｎ＝２のＰＬＰに対する構成データアイテムが６個のフレームを含むサイクルの第１、第３、及び第５のフレームに含まれると判定される。
【００５８】
ステップＳ５１２で、送信装置は、各ＰＬＰに対する構成データアイテムをスケジューリングする。ステップＳ５１４で、送信装置は、例えば図２に示したように、サイクルを介して構成データアイテムを配列する。その後、構成データアイテムは、ステップＳ５１６で、送信装置のフレーム生成器によりサイクルのフレームに生成されてから送信される。
【００５９】
図５Ｂは、第１の実施形態の送信方法により、送信されたデータを受信する場合に受信器装置により遂行されるプロセスの一例を示す。
【００６０】
プロセスは、ステップＳ５２０で、受信器装置がデータを受信するスーパーフレームの第１のサイクルの第１のフレームで受信されたＬ１構成可能なシグナリングを復号化するステップＳ５２０で開始される。ステップＳ５２２で、フレームの定数データ２０２が抽出される。
【００６１】
ステップＳ５２４で、受信器装置は、分割処理が可能であるか否か、すなわち第１の実施形態の送信方法による送信方法が使用されるか否かを判定する。送信方法が使用されないと判定される場合、受信器装置は、各ＰＬＰに該当する構成データアイテムがサイクルのフレームごとに送信されると判定する。したがって、受信器装置は、ステップＳ５２６に進行し、一つ以上の所望するＰＬＰ、すなわち受信器装置がデータを受信することに関するサービスに該当する一つ以上のＰＬＰを抽出する。その後、受信器装置は、抽出された構成データアイテムが一つ以上の所望するＰＬＰで送信されるデータを復号化するために使用されるステップＳ５２８に進行する。受信器装置は、構成データアイテムが基本方法別に、毎フレームで送信されるようにスケジューリングされるステップＳ５２６に進行する。構成データアイテムは、ステップＳ５０６で、送信装置のフレーム生成器によりサイクルのフレームに生成され、その次に送信される。
【００６２】
ステップＳ５２４で分割処理が可能であると判定される場合、プロセスは、一つ以上のＰＬＰを現在処理されているフレームで使用可能であるか否かを判定するステップＳ５３０に進行する。関連した構成データアイテムが使用可能でないと判定される場合、プロセスは、ステップＳ５３６に進行し、これについて、下記のように具体的に説明する。
【００６３】
関連構成データアイテムが使用可能であると判定される場合、受信器装置は、一つ以上の所望するＰＬＰに該当する構成データアイテムが抽出されるステップＳ５３２に進行する。その後、抽出された構成データアイテムは、ステップＳ５３４で一つ以上の所望するＰＬＰを復号化するために使用される。受信器装置は、スーパーフレームの第１のサイクルで、すべてのフレームが受信されるか否かを判定するステップＳ５３６に進行する。サイクルですべてのフレームが受信されないと判定される場合、受信器装置は、ステップＳ５３８で、サイクルの次のフレームで受信されるＬ１構成可能なデータを復号化する。プロセスは、上記したＳ５３０に戻る。ステップＳ５３０〜Ｓ５３８は、サイクルですべてのフレームに対して反復的に繰り返され、あるいはすべての要求される構成データアイテムが抽出されるまで反復することができる。
【００６４】
ステップＳ５３６で、スーパーフレームの第１のサイクルですべてのフレームが受信されると判定される場合、受信器装置は、ステップＳ５４０で、反復パターンと所望するＰＬＰに対して要求される構成データアイテムのサイクル内での位置を格納する。これは、受信器装置が連続して構成データアイテムの同一のパターンが各サイクルで反復されるという事実と結合し、受信器のエラーレートを減少させる構成データアイテムを受信するサイクル内で位置を予想することを可能にする。ステップＳ５４２に示すように、受信器装置は、所望する構成データアイテムが位置することが予想されるフレームから構成データアイテムを抽出することだけを必要とする。これは、受信器装置に対する処理ロード(processing  load)を減少させ、データを受信することが不要になるサイクルの部分で受信器装置がスリープモードのように電力モードに進入することにより、電力を節約することを可能にする。
【００６５】
＜第２の実施形態による送信方法＞
上記した第１の実施形態による送信方法において、Ｑｎがｎ又はｎの整数倍と同一でない場合、一つ以上の構成データアイテムには所望する反復長より短い反復長が割り当てられる。しかしながら、一部実施形態において、すべての構成データアイテムにはＱｎがｎ又はｎの整数倍と同一であるか否かに関係なく、所望する反復長と同一の反復長が割り当てられる。これは、フレーム別にＰＬＰの全体個数を一定に維持させる間にフレームごとに与えられる反復長に該当するようにＰＬＰの個数を変更させることで遂行できる。
【００６６】
この実施形態において、上記フレームは、グループ又はサイクルで配列され、その各々は、すべての所望する反復長の全体最小公倍数Ｌと同一の個数のフレームを含む。構成データアイテムは、各フレームのＬ１-Ｃｏｎｆｉｇ１１０部分のデータスロット(ここで、構成データスロットと称する)に含まれる。反復長ｎを有する各構成データアイテムは、各サイクルでＬ/ｎ回を含み、各サイクルは送信中に反復される。各構成データアイテムがＬ/ｎ回割り当てられる場合、フレーム別に割り当てられるＰＬＰの個数は、サイクルのフレームにわたって一定でなく、(ダミーＰＬＰに該当するダミデータアイテムのような)一つ以上の追加データアイテムは、追加データスロット(ここで、追加データスロットと称する)に追加され、それによって(ダミーＰＬＰを含む)ＰＬＰの全体個数と該当するデータスロットの個数(すなわち、構成データスロットと追加データスロットの和)は、フレームサイクルにわたって一定である(そして、一般的に定数倍のフレームサイクルにわたって一定である)。また、この構成データスロットの配列(すなわち、フレーム及びフレームのサイクル内の位置)は、スーパーフレームの各サイクルで同一であり得る。第１の実施形態による送信方法に関して上記したように、これらの特徴は、受信器のエラーレートを減少させ、受信器装置での処理ロードを減少させ、及び/又は受信器装置が電力の節約を可能にする。
【００６７】
図６Ａは、本発明の一実施形態によるフレームのサイクル６００で異なる反復長を有する構成データアイテムの実施形態に基づいた配列を示す。５個のＰＬＰが所望の反復長＝１を有し、７個のＰＬＰが所望の反復長ｎ＝２を有し、１０個のＰＬＰが所望の反復長ｎ＝３を有する一例を考慮する。図６Ａにおいて、データスロットは、タイプ(すなわち、構成データスロット及び追加(ダミー)データスロット)で、データスロットに含まれているデータに関連した反復長ｎによって示される。データスロットに含まれるデータが関連するＰＬＰのＰＬＰインデックスも指示される。
【００６８】
１、２、及び３の最小公倍数Ｌが６であるため、サイクル６００に６個のフレームが存在する。図６Ａからわかるように、１２個のＰＬＰに該当する構成データアイテムは、各フレームに含まれ、すなわち、各フレームには１２個のデータスロットが存在する。ｎ＝１に該当するデータスロットの個数が各フレームにわたって一定に維持する間、ｎ＝２及びｎ＝３の各々に対する該当個数は、各フレームでデータスロットの全体量を固有に維持させる間にフレームごとに変更される。Ｌ/ｎ回の反復される各構成データアイテムの順に１１個のＰＬＰに該当する構成データアイテムがサイクルの第６(最後)のフレームに含まれる必要があり、追加的なＰＬＰはこのフレームに含まれ得る。
【００６９】
その一方で、図６Ｂは、所望の反復長の同一の初期集合を用いて、上記した第１の実施形態の送信方法によって配列される構成データアイテムを示す。この場合、いかなるダミーＰＬＰも使用されない。その代わりに、ｎ＝３の所望する反復長を有するＰＬＰのうちいずれか一つに対する構成データアイテムにｎ＝２の実際反復長が割り当てられる。
【００７０】
説明されたこの方法は、上記したような第１の実施形態の送信方法により提供される利点と同一の多くの利点を提供する。特に、オーバーヘッド節約が同一である。これは、図６Ａ及び図６Ｂの実施形態により示されており、各場合に、１２個のＰＬＰに該当する構成データアイテムは、各フレーム(図６Ａの第６のフレームにダミーＰＬＰを包含)に含まれる。
【００７１】
さらに、図４の方法とは異なり、任意の構成データアイテムに対する所望の反復長より低い反復長を割り当てることが必須ではない。これは、サービスプロバイダのサービス要求事項に従って受信長を設定するため、送信の送信器及び受信器でのプロセッシングを簡略化させることができる。この方法を実現するネットワークオペレータは、サービスプロバイダの要求事項から導出する必要がない。また、一部実施形態において、反復長は、該当するＰＬＰの固定した特徴を有することができ、それによって現在の方法は、このような固定特性のいかなる望ましい変更も回避するようになる。
【００７２】
この方法のすべての構成データアイテムが所望の反復長と同一の平均反復長で送信される間、サイクル内のフレーム間の実際区間は、一部構成データアイテムに対する個数から変わることに留意しなければならない。例えば、図６Ａで、ｎ＝３に対するＰＬＰ＃４に対応する構成データアイテムは、サイクルのフレーム２で送信され、その後に２個のフレームの区間が所定のフレーム４でさらに送信される。以前の送信後に４個のフレームの区間が与えられる連続的なサイクルのフレーム２で更に送信される。しかしながら、このパターンによって反復される構成データアイテムは、所望する反復長を有する構成データアイテムのクラスタ(cluster)に維持され、構成データアイテムに関連した特性“反復長”を代替する必要がない。送信の受信器は、図６Ａに示す構成データアイテムのパターンを予測するように配列される。
【００７３】
また、いずれの構成データアイテムも所望の反復長より小さい反復長で送信されないため、追加的な空間は、“追加(extra)”データを送信するために使用されるダミーＰＬＰに対応する追加データアイテムに対する形態でフレームで有効である。そのため、特定値は、追加データアイテムを識別するために、追加データアイテムを含むフレームで識別子に割り当てられることができる。割り当てられた値を有する識別子の受信の際に、追加データアイテムが追加データを送信するために使われない“ダミー”データアイテムである場合、受信器は、追加データアイテムを廃棄でき、あるいは追加データアイテムが追加データを送信するために使用される場合に追加データアイテムを処理する。その値が追加データアイテムを識別できるＰＬＰ識別子は、フレームがＬ１-Ｃｏｎｆｉｇ部分１１０で構成データアイテムとして含まれることができる。一部配列で、受信器装置は、追加データアイテムの存在を識別する特定値を要求せず、受信器装置は、サイクル内で位置の認知のみを要求できる。
【００７４】
図７を参照して、本発明の第２の実施形態による送信方法に基づき、構成データアイテム及び追加データアイテムの配列を提供する方法を説明する。ここで、図７のプロセスステップが図６Ａのように入力パラメータで実現される方法について説明する。
【００７５】
ステップＳ７００で、入力パラメータが受信され、すなわち、反復長ｎを有するＰＬＰの個数Ｐｎが受信される。図６Ａの実施形態で、Ｐ１＝５、Ｐ２＝７、及びＰ３＝１０である。
【００７６】
ステップＳ７０２で、サイクル長Ｌは、サイクルですべての反復長ｎの最小公倍数と同一である。また、パラメータＮは、１より大きい反復長の個数と同一に設定される。図６Ａの実施形態で、Ｎ＝２である。
【００７７】
ステップＳ７０４で、サイクル別追加データスロットの個数Ｄ(例えば、ダミーＰＬＰの個数)は、０の初期値に設定される。
【００７８】
ステップＳ７０６で、値Ｄが反復される反復手順が開始される。ステップＳ７０８で、パラメータＣｎ及びＤｎの値が、次のように設定される。
【００７９】
Ｃｎ＝ｃｅｉｌｉｎｇ(Ｐｎ/ｎ)及び
Ｄｎ＝(Ｃｎ×ｎ)-Ｐｎ
【００８０】
ステップＳ７１０で、値Ｄは、次のように増加する。
【００８１】
Ｄ＝Ｄ＋(Ｄｎ×Ｌ/ｎ)
【００８２】
ステップＳ７０８〜Ｓ７１０は、Ｄに対する全体値を獲得するために反復され、１より大きい全体値を介して加算される。図６Ａの実施形態は、次のような値が獲得される。
【００８３】
Ｃ２＝４
Ｃ３＝４
Ｄ２＝１
Ｄ３＝２
Ｄ＝７
【００８４】
これは、反復手順を終了する。プロセスは、サイクルのフレームごとに除去されるＥ個の追加データスロット(ダミーＰＬＰ)及びサイクルに残っているＲ個の追加データスロットが、次のように決定されるステップＳ７１２に進行する。
【００８５】
Ｅ＝ｆｌｏｏｒ(Ｄ/Ｌ)及び
Ｒ＝ｍｏｄ(Ｄ，Ｌ)
【００８６】
図６Ａの実施形態で、次のような値が獲得される。
【００８７】
Ｅ＝１及び
Ｒ＝１
【００８８】
ステップＳ７１４で、初期候補行列を表す行列Ａは、Ａl,n＝Ｃｎのエレメントを有するサイズＬ×Ｎを有するように定義される。Ａl,nの値は、候補サイクルの第１のフレームの反復長ｎに割り当てられたデータスロットの個数を表す。
【００８９】
ステップＳ７１６で、サイクルのフレームのうち追加データスロット(ダミーＰＬＰ)の初期分散を表す行列Ｂは、エレメントＢl,nを有するサイズＬ×Ｎを有するように定義される。
【００９０】
ここで、
Ｂl,n＝Ｄn(ｌがｎ又はｎの整数倍と同一である場合)、及び
Ｂl,n＝(そうでない場合)
である。
【００９１】
Ｂl,nの値は、候補サイクルの第１のフレームの反復長ｎに割り当てられた追加データスロットの個数を表す。
【００９２】
図６Ａの実施形態において、以下のような行列が獲得される。
【００９３】
【数１】
2015523765.tif 000004
【００９４】
すると、プロセスは、候補サイクルから減少する追加データスロットの個数を減少させるために進行する。上記したように、Ｅと同一の追加データスロットの個数は、候補データスロットの個数は、候補サイクルの各フレームから除去される。これは、２ステップのプロセスで遂行され、これについて具体的に説明する。
【００９５】
ステップＳ７１８で、Ｅより大きく、あるいはＥと同一の個数の追加データアイテムを有する候補行列の各フレームに対して、Ｅと同一の個数のフレームは、簡単に除去できる。図６Ａの実施形態で、このステップは、次のような行列をもたらす。
【００９６】
【数２】
2015523765.tif 000005
【００９７】
この実施形態で、ｎの昇順に追加データスロット(すなわち、ｎ＝３の列に優先するｎ＝２の列から除去される追加データスロット)が除去されても、一部の場合では降順、又は任意の順序の除去も使用され得る。
【００９８】
上記実施形態による行列からわかるように、候補フレームサイクルのすべてのフレームから要求される個数Ｅの追加データスロットを直接除去することが常に可能ではない。上記のような場合、プロセスは、Ｅ個と同一の個数の構成データスロットに対応する構成データアイテムは、追加データスロットを含む一つ以上のフレームに対してＥ個の追加データスロットを除去することが不可能な各フレームから除去されるステップＳ７２０に進行する。該当する個数の追加データアイテムは、構成データアイテムが除去されるフレームから除去される。
【００９９】
図６Ａの実施形態において、これは、シーケンスの第３のフレームに移動されるシーケンスの第１のフレームでｎ＝３に対応する構成データアイテムと、シーケンスの第６のフレームに移動されるシーケンスの第５のフレームでｎ＝４に対応する構成データアイテムを招く。この実施形態で獲得される最後の行列は、次のようである。
【０１００】
【数３】
2015523765.tif 000006
【０１０１】
これらの行列は、図６Ａに示す配列に該当することがわかる。この実施形態では、追加的な(例えば、ダミー)データスロットがサイクルの最終フレームに含まれ、これは、常にこの場合ではないことに留意すべきである。入力パラメータに基づいて、追加データスロットは、サイクル内の他の位置で含まれ得る。
【０１０２】
ステップＳ７２０の“スワッピング(swapping)”手順の完了後に、上記プロセスは、ステップＳ７２２で終了する。
【０１０３】
上記したプロセスに従って生成されたサイクルは、データの送信中にサイクルを反復することによって、シグナリングデータの送信のために使用することができる。
【０１０４】
図７を参照して説明したプロセスは、一例であるだけで、上記した多様なステップの詳細は変更できる。例えば、上記した実施形態で、パラメータＮの値は、１より大きい反復長の個数と同一に設定される。１の反復長を有する構成データアイテムが各フレームで反復されるため、同一の再配列が不要であり、上記したようなプロセスでｎ＝１の構成データアイテムを含むことは不要である。しかしながら、一部実施形態で、Ｎの値はｎ＝１を含む反復長の個数と同一に設定され、それによって一連のステップは代替される。
【０１０５】
図８Ａは、第１の実施形態の送信方法によりデータを送信する場合、送信装置により遂行されるプロセスの一例を示す。
【０１０６】
図８Ａを参照すると、ステップＳ８００〜Ｓ８０６は、各々図５Ａに関して上記したステップＳ５００〜Ｓ５０６に対応する。しかしながら、本実施形態では、ステップＳ５０８に対応するステップは省略できる。これは上記したように、第２の実施形態による送信方法で、すべての構成データアイテムが該当する所望の反復長が割り当てられるためである。その代りに、プロセスは、送信装置がサイクル内の位置と送信される各ＰＬＰに対する反復パターンを決定するステップＳ８１０に進行する。このステップは、以上に説明したようなステップＳ５１０に対応する。
【０１０７】
上記したように、第２の実施形態による送信方法において、一つ以上の追加データアイテムが送信されるため、ステップＳ８１１で、送信装置は、サイクルに含まれる追加データアイテムに対する位置及び反復パターンを決定する。その後のプロセッシングステップＳ８１２〜Ｓ８１６は、各々図５Ａに関して上記したようなステップＳ５１２〜Ｓ５１６に対応する。
【０１０８】
図８Ｂは、第２の実施形態の送信方法により送信されたデータを受信する場合、受信器装置により遂行されるプロセスの一例を示す。ステップＳ８２０〜Ｓ８３４は、図５Ｂに関連して説明したステップＳ５２０〜Ｓ５３４に各々対応する。
【０１０９】
しかしながら、図５Ｂの実施形態とは異なり、ステップＳ８３０で、現在処理されるフレームで一つ以上の所望するＰＬＰに対して構成データアイテムが存在しないと判定される場合、あるいはステップＳ８３４で一つ以上の所望するＰＬＰを復号化した後に、受信器装置は、上記したような追加データアイテムを含む追加データシグナリングが現在処理されるのに使用可能であるか否かを決定するように進行する。上記のようなデータシグナリングが使用可能である場合、ここに含まれている追加データアイテムは、ステップＳ８４４で抽出及び使用される。その後、プロセスは、図５Ｂに関して説明したステップＳ５３６に対応するステップＳ８３６に進行する。連続的なステップＳ８３８〜Ｓ８４２は、図５Ｂに関して説明したようなステップＳ５３８〜Ｓ５４２に各々対応する。
【０１１０】
ステップＳ８３５で、追加データシグナリングが使用可能でないと判定される場合、受信器装置は、ステップＳ８４４を遂行せずに、ステップＳ８３６に直接進行する。
【０１１１】
＜第３の実施形態による送信方法＞
以上に説明したような第１及び第２の実施形態による送信方法において、整数個のＰＬＰに関連したすべての要求される構成データアイテムは、各フレームに含まれることができる。これは、所定フレームのＬ１-ｃｏｎｆｉｇシグナリング部分１１０で伝達される所定のＰＬＰに関連するデータがセルフ復号化が可能なように保証し、これについて以下に具体的に説明する。この方法で、所定の反復長の構成データアイテムに割り当てられたＬ１-シグナリング部分のサイズは、関連部分に含まれているデータスロットの個数により決定され、データスロットは、一例として実際のＰＬＰに対応する構成データアイテム、あるいはダミーＰＬＰに対応するダミーデータにより占有される。
【０１１２】
しかしながら、本発明の一部実施形態で、データ構成アイテムは、フレームのシーケンス各々に対して一定の長さに維持される所定の反復長を有する構成データアイテムに割り当てられるフレームの各部分のビットサイズでシーケンスの複数のフレームにわたって分割される。上記のような実施形態で、各反復長ｎに対して、反復長ｎを有する構成データアイテムのビットサイズの全体和Ｔが決定され、ｎ単位で分割される。ｎの各値に対して、Ｔ/ｎと同一のデータの量は、シーケンスの各フレームに割り当てられる。ここで、Ｔはｎで分割できず、追加“ダミー”データ、例えば一つ以上のゼロが関連部分でシーケンスの一つ以上のフレームに含まれ、それによって与えられたｎの値に割り当てられるフレームの部分がフレームのシーケンスにわたって一定に維持される。
【０１１３】
図９は、本発明の実施形態によるフレームシーケンスに配列される構成データアイテムの一例を示す。図９では、シーケンスで３個のフレームのＬ１_ｐｒｅ部分２０８及びＬ１-Ｃｏｎｆｉｇ２１０部分のみを示す。しかしながら、一般的にフレームは図２に関して上記した他の部分の一部又は全部をさらに含むことがわかる。
【０１１４】
この実施形態において、Ｌ１-Ｃｏｎｆｉｇ部分２１０は、対応する反復長を有する構成データアイテムを送信するためのｎ＝１部分２１０ａ、ｎ＝２部分２１０ｂ、及びｎ＝３部分２１０ｃを含む。
【０１１５】
この実施形態で、反復区間ｎ＝１で送信される全体ビットの個数は２００ビットと仮定し、ｎ＝２でその個数は２８０ビットと仮定し、ｎ＝３でその個数は４００ビットと仮定する。ｎの各値に対して構成データアイテムは、上記したように分割される。ｎ＝１に対して、２００ビットの構成データは、シーケンスの各フレームのｎ＝１部分２１０ａで送信される。ｎ＝２に対して、１４０ビットの構成データは、シーケンスの各フレームのｎ＝２部分２１０ｂで送信される。ｎ＝３に対して、４００がが３で分割可能でないため、１３４ビットの構成データは、シーケンスの第１及び第２のフレームのｎ＝３部分２１０ｃに含まれ、１３２ビットは、上記シーケンスの第３のフレームのｎ＝３部分２１０ｃに含まれる。ｎ＝３部分２１０ｃの長さがシーケンスにわたって一定であることを保証するため、２個のゼロ２１０ｄは、シーケンスの第３のフレームのｎ＝３部分の最後に追加される。
【０１１６】
受信の際に、構成データアイテムが正確に分析され、ゼロを除去させるために、シーケンスのフレームのＬ１-Ｃｏｎｆｉｇ部分の定数部分(定数データ３０２を包含)は、該当する部分に含まれている(もしあれば)ゼロの個数のインジケータだけでなく、Ｌ１-Ｃｏｎｆｉｇ部分２１０の上記した部分２１０ａ，２１０ｂ，２１０ｃの各ビットサイズのインジケータを含むことができる。Ｌ１_Ｐｒｅ部分２０８は、例えば、シーケンスの一つ以上のフレームの定数部分のビットサイズのインジケータを含むことができる。
【０１１７】
上記した実施形態において、ｎ＝３のデータに対して要求されるゼロ２１０ｄは、シーケンスの第３のフレームのｎ＝３部分２１０ｃの最後に含まれる。しかしながら、一部の実施形態で、ゼロ(あるいは他のダミーデータ)は、シーケンスの他の所定の位置に含まれることができる。受信器が構成データアイテムを処理する前に指示されるゼロの個数を簡単に廃棄できるため、シーケンスで予め定義されている位置にダミーデータを含むことによって、送信されたデータの受信時に処理を簡略化する。
【０１１８】
第３の実施形態による送信方法は、第１及び第２の実施形態の送信方法より送信オーバーヘッドで一層多くの節約を可能にする。これは、本発明の方法で、(時々、第１の実施形態による送信方法の場合のように)所望の反復長より長い反復長を割り当てることが不要であり、あるいは(時々、第２の実施形態による送信方法の場合のように)ダミーＰＬＰに対応する追加データアイテムを追加することが不要であるためである。
【０１１９】
上記したプロセスは、プロセスを遂行するために配列される送信装置により遂行されることがわかる。送信装置は、フレーム構造に符号化されるデータストリーム、例えば、異なるデジタルビデオブロードキャストチャンネルのようなデータストリームを受信する入力通信インターフェースと、上記したような所望の反復長のようなデータを格納できるデータ格納デバイスと一緒にステップを処理するプロセッサ又はプロセッサの集合を含むことができる。また、送信装置は、一般的に無線でデータを送信する出力通信インターフェースを含むことができる。
【０１２０】
同様に、送信装置により送信されるデータは、一般的に一つ以上の受信器装置により受信され、この受信器装置の各々は、データを無線で受信する入力通信インターフェースと、データ格納手段と共に受信される信号を処理するプロセッサ、あるいはプロセッサの集合と、ビデオディスプレイ、オーディオ送信器、及び/又は一つ以上の選択される、復号化されたデータストリームを出力する出力通信インターフェースを含む。
【０１２１】
上記したように、フレーム構造で送信されるデータを受信する場合、受信器装置は、例えば、受信器装置でチャンネルの変化に応答して受信される異なるＰＬＰを選択し、異なるＰＬＰはこ異なる反復長に対応する。受信器装置は、選択された各ＰＬＰに対応する構成データアイテムを受信し、受信した該当構成データアイテムを用いて対応するＰＬＰを受信する。
【０１２２】
以上に説明した第２の実施形態による送信方法の場合のように、ダミーＰＬＰに対応する追加データがフレーム構造の一つ以上のフレームに含まれている場合に、一つ以上の受信フレームは、上記したように、ダミーＰＬＰ識別子を含むことができる。この場合、受信器装置は、ＰＬＰ識別子を分析し、ＰＬＰ識別子に関連した追加データを識別し、追加データを処理する。一部の場合に、これは、追加データを簡略に廃棄することを含むことができる。他の場合に、上記したように、追加データは、追加(extra)データが伝達されることを表す識別子値の受信時に、受信器装置が受信及び処理するように構成される追加データを含むことができる。
【０１２３】
上記したように、第３の実施形態による送信方法の場合に、Ｌ１-Ｃｏｎｆｉｇ部分２１０は、異なる反復長に関連した異なる部分２１０ａ，２１０ｂ，２１０ｃに分割することができる。フレーム構造の少なくとも一つのフレームは、受信器装置が受信するように配列されるこれら長さの一つ以上のインジケータを含むことができる。同一の受信時に、受信器装置は、対応するインジケータから部分２１０ａ，２１０ｂ，２１０ｃのそれぞれの長さを識別し、それによって異なる部分でデータを処理することができる。
【０１２４】
さらに、上記のように、フレーム構造の一つ以上のフレームは、ゼロのシーケンスのようなダミー値を、例えば、一つ以上のフレームのＬ１-Ｃｏｎｆｉｇ部分２１０で含むことができる。この場合、フレーム構造の一つ以上のフレームは、ゼロの個数のインジケータを含むことができ、それによって受信器装置によりゼロは廃棄することができる。
【０１２５】
上記したように、第１及び第２の実施形態による送信方法では、有利に、与えられるフレームのＬ１-ｃｏｎｆｉｇシグナリング部分２１０で伝達される所定のＰＬＰに関連したデータは、セルフ復号化が可能であり、すなわち復号化の開始のためのすべての必要なデータを含み、それによって所定のＰＬＰに関する復号化は、対応する構成データアイテムが受信されるとすぐに、開始可能である。また、所定の構成データアイテムの第１のインスタンスが一度受信及び復号化され、構成データアイテムが予測可能な方式で上記したような反復長及び/又はＰＬＰ識別子に基づいて順次に存在するため、同一の構成データアイテムの連続したインスタンスを復号化することは不要である。
【０１２６】
図１０に示すように、各構成データアイテムがそのインスタンスが受信される第１の時間を正確に復号化することが仮定される場合、すべての構成データアイテムは、Ｎ＋１個のフレーム後に復号化される。ここで、Ｎは、送信に対して設定される最長の反復長である。
【０１２７】
受信器装置のプロセッシングリソースでの負担(burden)と、構成データアイテムのインスタンスが受信されて復号化される最初の時間を減少させるため、構成データアイテムのインスタンスは連続するフレームで該当するＰＬＰを識別して受信するために使用される格納されたインスタンスを使用する受信器装置のデータ格納手段に格納することができる。スーパーフレーム内の同一の構成データアイテムの連続的及び反復的なインスタンスは、その後に受信器によりフラグされ、デコーダにより無視されて復号化されないことがある。この実施形態において、格納されたインスタンスは、構成データアイテムの反復されるインスタンスを含むフレームの次のスーパーフレーム内の連続するフレームで該当ＰＬＰを識別して受信するために使用される。
【０１２８】
他の実施形態において、フレーム構造３００で送信される所定の構成データアイテムの各インスタンスは、受信器動作の簡単性を維持し、及び/又は復号化エラーを減少させるために復号化される。
【０１２９】
一部の実施形態において、受信器は、構成データアイテムが既に知られていることを指示するために一つ以上の所定値に対するソフトデコーダに関連した一つ以上の値を設定する。例えば、受信器がソフトデコーダで復号化されるデータアイテムに対するエラー訂正の際に信頼ファクタ(confidence  factor)として使われるログ近似比(Log  Likelihood  Ratio：ＬＬＲ)を生成する実施形態で、構成データアイテムの追加的で、反復されるインスタンスに対するＬＬＲは、予め知られていることを示すためにスーパーフレームの残りの部分で＋/−∞に設定することができる。
【０１３０】
公知の構成データアイテムは、他のデータ、Ｌ１-Ｃｏｎｆｉｇシグナリング部分２１０及び/又はＬ１-Ｄｙｎシグナリング部分２１２に含まれているデータのような他のデータの復号化を可能にするために使用でき、受信されたデータの一部ビットが(＋/−∞に設定された該当ＬＬＲにより示されているように)予め知られていることは、エラー訂正の側面で、受信されたデータの他のビットの復号化の堅固さを増加させる。
【０１３１】
したがって、所定の構成データアイテムがデータ(例えば、所定のフレームのデータ）の第１の集合で受信されて復号化される場合、復号化されたデータは、構成データアイテムを含むデータの追加的な集合の復号化プロセスで、知らされている構成データアイテムのビットがデータの追加的な集合に含まれている追加的なデータアイテムに関連したエラー訂正の堅固さを改善させることを可能にするために使用できる。さらに、これらデータアイテムは、フレームのＬ１-Ｃｏｎｆｉｇシグナリング部分２１０、あるいは後にＬ１-Ｃｏｎｆｉｇシグナリング部分２１０と一緒に符号化されるＬ１-Ｄｙｎシグナリング部分２１２のような他のシグナリング部分で伝達されるデータアイテムを含むことができる。
【０１３２】
フレームがスーパーフレームに配列される場合、構成データは、スーパーフレーム別に変更できる。したがって、一部の実施形態では、受信器装置は、各サブフレームで各構成データアイテムの少なくとも第１のインスタンスを復号化する。しかしながら、構成データアイテムが、異なるスーパーフレーム間には頻繁に変更されるため、一部実施形態では、受信器装置は、各スーパーフレームで各構成データアイテムの第１のインスタンスを復号化しない。その代りに、例えば、指示は、構成データアイテムが変更されることを示すＬ１-Ｄｙｎシグナリング部分２１２に含まれ、受信器装置は、この指示の受信に応答して構成データの新たなインスタンスを復号化する。指示は、その該当する構成データアイテムが変更される一つ以上のＰＬＰを指示し、この場合、受信器装置は、指示されるＰＬＰのために構成データアイテムを新たに復号化できる。
【０１３３】
上述したように、ここで説明されるデータ送信の方法は、サービスプロバイダの要求事項によってネットワークオペレータにより遂行される。図１１は、本発明の実施形態で使用されるサービスプロバイダ１１００とネットワークオペレータ１１０２を含むシステムのコンポーネントを示す。
【０１３４】
図１１を参照すると、サービスプロバイダ１１００は、ネットワークオペレータ１１０２に所望の反復長のようなサービス要求事項、あるいは遅延許容のような所望する反復長が導出されるデータを含む制御データ１１０６とともに一つ以上のサービス１１０４を提供する。
【０１３５】
ネットワークオペレータ１１０２は、ネットワークゲートウェイ１１０８でサービスプロバイダからデータを受信する。ネットワークゲートウェイは、追加的にサービス要求事項のＰＬＰに対するマッピングのような機能及び反復長のようなサービス特性を遂行する。
【０１３６】
ネットワークゲートウェイ１１０８は、制御データ１１１２と一緒に一つ以上のＰＬＰ１１１０の各々に関連するデータを送信器１１１４に送信する。制御データ１１１２は、反復長のようなＰＬＰ特徴を含むことができる。
【０１３７】
送信器１１１４は、例えばシグナリング、フレーム生成、及びデータの送信のような機能を遂行することができる。
【０１３８】
上記のような実施形態は、本発明の実施形態として理解しなければならない。また、本発明の追加的な実施形態が予想され得る。
【０１３９】
図１２は、フレームのＬ１Ｃｏｎｆｉｇシグナリング部分２１０に含まれる定数データ３０２と構成データ３０４の他の配列を示す。図１２を参照すると、この実施形態で、ＰＬＰ構成の個数は、使用されるＰＬＰの個数より少ない個数に制限され、ＰＬＰは使用されるＰＬＰ構成(“ＰＬＰモード”)によって分類される。このような方式で、所定のＰＬＰモードに対して共通である構成データアイテムは、所定のＰＬＰモードの各ＰＬＰに対して別途に送信される必要がない。この実施形態で、異なるタイプの構成データアイテムは、上記したようにＰＬＰ単位で割り当てられ、あるいは異なるＰＬＰモードに基づいて割り当てられることができる。
【０１４０】
図１３Ａ及び図１３Ｂは、フレームのＬ１-Ｃｏｎｆｉｇシグナリング部分２１０に含まれている定数データ３０２と構成データ３０４に対するもう一つの配列を示す。
【０１４１】
図１３Ａを参照すると、例えば、定数データは、Ｌ１-ＣＯＮＦに関連したシグナリングを有する所定のオプションが使用されるか否かを表す“オプションフラグ”データアイテム１３００を含む。所定のオプションが使用される場合、オプションに関連したシグナリングフィールドはＬ１-ＣＯＮＦでシグナリングされ、そうでない場合には、オプションに関連したシグナリングフィールドは含まれない。これは、所定のオプションが使用されない場合、オーバーヘッド減少を可能にする。
【０１４２】
＜表２＞は、このフィールドにより指示される一部の異なるオプションの一例を提供する。
【０１４３】
【表２】
2015523765.tif 000007
【０１４４】
特に、上記値ｘｘ１ｘｘｘｘｘは、本発明の実施形態によるデータの送信方法が遂行されることを指示することに注意しなければならない。これは、図１３Ａでデータアイテム１３０２に対応する。
【０１４５】
“ＰＡＲＴＩＴＩＯＮ_ＣＹＣＬＥ_ＬＥＮＧＴＨ”データアイテム１３０４は、現在のスーパーフレームでのすべてのＰＬＰに対するＬ１-ＣＯＮＦのＰＬＰループでシグナリングが完了するサイクルの長さをフレームの個数で指示する。現在のスーパーフレームですべてのＰＬＰのＰＬＰループのシグナリングは、一般的に正確に同一である。各ＰＬＰに対するＬ１-ＣＯＮＦのＰＬＰループでのシグナリングは、現在スーパーフレームのＬ個のフレームごとに同一のフレーム位置で反復する。ここで、Ｌは、ＰＡＲＴＩＴＩＯＮ_ＣＹＣＬＥ_ＬＥＮＧＴＨにより与えられる値である。この値は、少なくとも現在のスーパーフレームでは一定に維持される。
【０１４６】
“ＰＡＲＴＩＴＩＯＮ_ＮＵＭ_ＡＤＤ_ＰＬＰ”データアイテム１３０６は、部分サイクルでの各フレームがＰＬＰの各クラスタに対する整数個のＰＬＰのシグナリングを伝達するように現在のフレームのＰＬＰループで追加される追加シグナリングブロックの個数を指示し、以下のように具体的に説明される。
【０１４７】
下記のようなフィールドは、ＯＰＴＩＯＮＳ_ＦＬＡＧフィールドが‘ｘｘ１ｘｘｘｘｘ’と同一の場合のみに現れる。
【０１４８】
ＰＬＰ_ＰＡＲＴＩＴＩＯＮ_ＣＬＵＳＴＥＲ_ＩＤデータアイテム１３０８は、ＰＬＰ_ＩＤにより識別されるＰＬＰと関連したＰＬＰループでシグナリングの部分クラスタを指示する。部分クラスタＩＤは、＜表３＞に定義される。
【０１４９】
【表３】
2015523765.tif 000008
【０１５０】
次のようなフィールドは、ＰＡＲＴＩＴＩＯＮ_ＮＵＭ_ＡＤＤ_ＰＬＰを介してループで示す。
【０１５１】
ＲＥＳＥＲＶＥＤ_２  １３１０：この３２ビットフィールドは、将来的な使用のために予約される。このフィールドの長さ(この場合、３２ビット)は、“０００”より大きいＰＬＰ_ＰＡＲＴＩＴＩＯＮ_ＣＬＵＳＴＥＲ_ＩＤの各ＰＬＰに関連したＰＬＰループで同一の量のシグナリングを保証するために、ＰＬＰループで６個の第１のフィールド(すなわち、ＰＬＰ_ＩＤ、ＰＬＰ_ＭＯＤＥ_ＩＤ、ＰＬＰ_ＡＮＣＨＯＲ_ＦＬＡＧ、ＰＬＰ_ＩＮ_ＢＡＮＤ_Ａ_ＦＬＡＧ、ＰＬＰ_ＧＲＯＵＰ_ＩＤ、ＦＩＲＳＴ_ＬＦ_ＩＤＸ)の長さの和と同一である。
【０１５２】
次のようなフィールドは、ＯＰＴＩＯＮＳ_ＦＬＡＧフィールドが‘ｘｘｘｘｘ１ｘｘ’と同一の場合のみに現れる。
【０１５３】
ＲＥＳＥＲＶＥＤ_３  １３１２：この８ビットフィールドは、将来的な使用のために予約される。このフィールドの長さ(すなわち、８)は“０００”より大きいＰＬＰ_ＰＡＲＴＩＴＩＯＮ_ＣＬＵＳＴＥＲ_ＩＤの各ＰＬＰに関連したＰＬＰループでの同一の量のシグナリングを保証するためにＰＬＰループでフィールドＲＥＳＥＲＶＥＤ_１の長さと同一である。
【０１５４】
ＰＬＰ_ＰＡＲＴＩＴＩＯＮ_ＣＬＵＳＴＥＲ_ＩＤ  １３１４：２ビットフィールドは、ＰＬＰ_ＩＤにより識別されるＰＬＰに関連したＰＬＰループでシグナリングの部分クラスタを表す。部分クラスタＩＤは、＜表３＞に定義される。
【０１５５】
＜説明のための実施形態＞
下記の説明は、本発明の実際の実施形態に関連され、例として提供される。
【０１５６】
Ｌ１-ＣＯＮＦのオーバーヘッドを減少させるために、Ｌ１-ＣＯＮＦのＰＬＰループでシグナリングは、同一の長さの部分に分割され、それによって各フレームは、ＰＬＰループで全体シグナリングの１個の部分のみを伝達する。Ｌ１-ＣＯＮＦデータは、２個の部分に配列され、第１の部分は、ＰＬＰ部分シグナリングを除外したＬ１-ＣＯＮＦですべてのシグナリングデータを含み、第２の部分は、ＰＬＰループでシグナリングを含む。第２の部分、すなわちＰＬＰループでシグナリングのみが分割処理することができる。第１の部分は、スーパーフレームのフレームごとに常に現れる。
【０１５７】
‘ｘｘ１ｘｘｘｘｘ’と同一のフィールドＯＰＴＩＯＮＳ_ＦＬＡＧの値は、Ｌ１-ＣＯＮＦでＰＬＰループの分割処理が使用されることを指示する。
【０１５８】
分割処理が使用される場合、各フレームは、現在のスーパーフレームＮＵＭ_ＰＬＰ_ＰＥＲ_ＳＵＰＥＲ_ＦＲＡＭＥで全体ＰＬＰの個数以下の値ＮＵＭ_ＰＬＰ_ＰＥＲ_ＦＲＡＭＥと同一の個数のＰＬＰに関連したＰＬＰループでシグナリングを伝達する。分割処理が使用されない場合(すなわち、ＯＰＴＩＯＮＳ_ＦＬＡＧ＝‘ｘｘ０ｘｘｘｘｘ’)、２個のフィールドＮＵＭ_ＰＬＰ_ＰＥＲ_ＦＲＡＭＥ及びＮＵＭ_ＰＬＰ_ＰＥＲ_ＳＵＰＥＲ_ＦＲＡＭＥは、同一の値を有する。
【０１５９】
また、フレームは、ＰＡＲＴＩＴＩＯＮ_ＮＵＭ_ＡＤＤ_ＰＬＰと同一の個数のダミーＰＬＰに関連した追加シグナリングを伝達できる。和ＮＵＭ_ＰＬＰ_ＰＥＲ_ＦＲＡＭＥ＋ＰＡＲＴＩＴＩＯＮ_ＮＵＭ_ＡＤＤ_ＰＬＰは、現在のスーパーフレームのフレームとごに同一の量のＬ１-ＣＯＮＦシグナリングを保証するために、スーパーフレームで毎フレームに対して一定でなければならない。
【０１６０】
分割処理が使用される場合、スーパーフレームで毎ＰＬＰにはフィールドＰＬＰ_ＰＡＲＴＩＴＩＯＮ_ＣＬＵＳＴＥＲ_ＩＤにより指示される部分クラスタが割り当てられる。＜表３＞に定義されているように、ＰＬＰ_ＰＡＲＴＩＴＩＯＮ_ＣＬＵＳＴＥＲ_ＩＤが“０００”と同一である場合、所定のＰＬＰと関連したＰＬＰループでシグナリングは、現在のスーパーフレームのフレームごとに送信され、それによってその獲得のためのいかなる遅延も許容されない。ローカルサービス挿入と関連したＰＬＰ(ＰＬＰ_ＴＹＰＥ＝“０１１”又は“１００”)は、他の(すなわち、ローカルサービス挿入でない)ＰＬＰに比べてＰＬＰループで追加的なシグナリングフィールドを要求し、現在のスーパーフレームのフレームごとに同一の量のシグナリングを保証するために、最初の部分クラスタＰＬＰ_ＰＡＲＴＩＴＩＯＮ_ＣＬＵＳＴＥＲ_ＩＤ＝“０００”に割り当てられる。
【０１６１】
上記値ＰＬＰ_ＰＡＲＴＩＴＩＯＮ_ＣＬＵＳＴＥＲ_ＩＤがｎ(必ず０より大きい）と同一である場合、所定のＰＬＰに関連したＰＬＰループでシグナリングは、ｎ個のフレーム遅延を許可し、それによってスーパーフレームで(ｎ＋１)番目のフレームごとに送信できる。
【０１６２】
Ｌ１-ＣＯＮＦの部分ごとにセルフ復号化が可能であることを保証するために(すなわち、受信器は、現在のスーパーフレームのフレームごとに伝達されるときにその情報を復号化及び使用するために)、各部分クラスタｎ(ｎ＞０)に対する整数個のＰＬＰは、現在のスーパーフレームのフレームごとに保証される。ＰＬＰループでその関連シグナリングの獲得のためのｎフレーム遅延を許容するＰＬＰの実際の個数が部分クラスタ値ｎと同一でなく、あるいはｎの整数倍と同一でない場合、このＰＬＰの一部が低い部分クラスタ値に割り当てられ、あるいは再度割り当てられることができ、それによってスーパーフレームで毎(ｎ＋１)番目のフレームの許容可能レートより大きいレート、例えばｎ番目又はｎ−１番目のフレームごとに送信される。これとは違い、ｎフレーム遅延を許容するすべてのＰＬＰは、同一の部分クラスタｎに割り当てられ、ＰＡＲＴＩＴＩＯＮ_ＮＵＭ_ＡＤＤ_ＰＬＰと同一の個数のダミーＰＬＰに関連した追加的なシグナリングは、現在のスーパーフレームの一部フレームで一部分クラスタ(ｎ＞０)に追加することができる。以後、もう一つの実施形態で、オーバーヘッド減少を最大化するために、最小個数のダミーＰＬＰのみが要求される場合に考慮されなければならない。この最小個数ＰＡＲＴＩＴＩＯＮ_ＮＵＭ_ＡＤＤ_ＰＬＰは、実際ＰＬＰのすべての個数及びすべての部分クラスタ値ｎの最小公倍数と同一の周期を通じる該当部分クラスタ値ｎから決定することができる。ダミーＰＬＰの個数ＰＡＲＴＩＴＩＯＮ_ＮＵＭ_ＡＤＤ_ＰＬＰに関連した追加的なシグナリングは、将来的な一部目的のために使用することができる。
【０１６３】
現在のスーパーフレームのｌ番目のフレームで部分クラスタｎ(ｎ＝０〜Ｎ-１)で実際ＰＬＰの個数をＰactual(ｎ，ｌ)で表し、現在のスーパーフレームのｌ番目のフレームで部分クラスタｎ(ｎ＝０〜Ｎ-１)に対するＰＬＰループでの追加的なシグナリングに関連したダミーＰＬＰの個数をＰdummy(ｎ，ｌ)で表す場合、毎フレームｌのＰＬＰループでのシグナリングは、＜数式１＞でＱにより与えられる定数個のＰＬＰに関連しなければならない。
【０１６４】
【数４】
2015523765.tif 000009
【０１６５】
所定のＰＬＰに対するＬ１-ＣＯＮＦのＰＬＰループでのシグナリングは、現在のスーパーフレームでＬフレームごとに同一のフレーム位置で反復される。ここで、Ｌは、フィールドＰＡＲＴＩＴＩＯＮ_ＣＹＣＬＥ_ＬＥＮＧＴＨの値である。現在のスーパーフレームで一つのサイクルから他のサイクルに、現在のスーパーフレームのすべてのＰＬＰのＰＬＰループでのシグナリングは、正確に同一である。部分サイクルは、受信器が所望のＰＬＰに関連したＰＬＰループでシグナリングのフレームに現れるパターンを予測することを助ける。また、これは、受信器が現在のスーパーフレームで全体Ｌ１-ＣＯＮＦシグナリングが正確に反復す場合を認識することを助ける。サイクル長Ｌは、すべての部分クラスタ値{ｎ}の最小公倍数と同一である。
【０１６６】
図１４Ａ及び図１４Ｂは、本発明の実施形態によるフレームのシーケンスでデータ構成アイテムの配列を示す概略図である。
【０１６７】
一実施形態を提供するために、スーパーフレームの実際ＰＬＰの全体個数が５と同一であると仮定する。これら５個のＰＬＰ全部がＰＬＰループでその関連したシグナリングの獲得のために１フレーム遅延を許容し、それによって理想的に５個のＰＬＰが部分クラスタｎ＝２に割り当てられなければならない。しかしながら、ＰＬＰの個数(＝５)が部分クラスタ値(ｎ＝２)の整数倍でない。フレームごとに同一の量のＬ１-ＣＯＮＦシグナリングを有するセルフ復号化可能な部分処理を保証するために、２つの等価代替方式が考慮される。
【０１６８】
第１の代替方式は、１個のＰＬＰを部分クラスタｎ＝１に割り当て、残りのすべての４個のＰＬＰを部分クラスタｎ＝２に割り当てる。したがって、１個のＰＬＰ(ＰＬＰ＃１)がフレームごとに反復される。一方、４個のＰＬＰのシグナリングは、２個のＰＬＰの部分に分割される。第１の２個のＰＬＰ(例えば、ＰＬＰ＃２、ＰＬＰ＃３)のシグナリングは、奇数フレーム(例えば、１，３，５，７)で反復され、それに反して他の２個のＰＬＰ(例えば、ＰＬＰ＃４、ＰＬＰ＃５)のシグナリングは、偶数フレーム(例えば、２，４，６，８)で反復される。これは、図１４Ａに示す。
【０１６９】
第２の代替方式で、５個のすべてのＰＬＰは、部分クラスタｎ＝２に割り当てられ、１個のダミーＰＬＰに関連した追加的なシグナリングが部分クラスタｎ＝２に追加される。最初の３個のＰＬＰ(例えば、ＰＬＰ＃１、ＰＬＰ＃２、ＰＬＰ＃３）のシグナリングは、奇数フレーム(例えば、１，３，５，７など)で反復され、一方で、残りの２個のＰＬＰ(例えば、ＰＬＰ＃４及びＰＬＰ＃５)のシグナリング及びダミーＰＬＰに関連した追加的なシグナリングは、偶数フレーム(例えば、２，４，６，８)で反復される。これは、図１４Ｂに示す。
【０１７０】
分割処理が使用されない場合、毎フレームは、５×Ａと同一のシグナリング量を有するＰＬＰループを有する。ここで、Ａは、ＰＬＰループでＰＬＰ別シグナリングの量を表す。分割処理が使用される場合、毎フレームは、２個の代替方式で３×Ａと同一のシグナリング量を有するＰＬＰループを有する。ＰＬＰループのオーバーヘッド減少は、((５-３)×Ａ)/(５×Ａ)＝４０％と同一である。Ｌ１-ＣＯＮＦの定数部分(すなわち、フレームごとに反復される部分)でのシグナリングの量(＝Ｃ)を説明する場合、全体オーバーヘッド減少量は(２×Ａ)/(Ｃ＋５×Ａ)である。
【０１７１】
本発明の実施形態では、例えば、デジタルビデオブロードキャスティングの次世代携帯用(Digital  Video  Broadcasting  Next  Generation  Handheld：ＤＶＢ-ＮＧＨ)システムのコンテキストで説明する。一実施形態で、ＤＶＢ-ＮＧＨシステムにおいて、ＤＶＢ-ＮＧＨ受信器による受信に対する追加データは、２世代地上波ＤＶＢ-Ｔ２システム内に現在含まれている未来拡張フレーム(Future  Extension  Frame：ＦＥＦ)スロット内で送信される。他の実施形態では、ここで説明されるコンセプトは、既存のＤＶＢ-Ｔ２システムで“ピギーバック(piggy-back)”に設計されない独立型(stand-alone)ＤＶＢ-ＮＧＨシステムに同一に適用することが予測できる。しかしながら、ここで説明される実施形態は、単なる一例であると理解し、他の実施形態が他の無線放送システムあるいはユニキャストシステムに関連する。さらに、他の実施形態は、他のデータ送信システムに適用され、それによってデジタルビデオ信号の使用のみに限定されないことを予測できる。
【０１７２】
本発明の実施形態で、下記のような用語の制限されない説明が任意の実施形態を説明するために使用される。一部の実施形態で、物理フレーム/スロットは、ターゲット伝達システムに該当する信号が存在する(送信される)所定のＲＦ周波数上の時間で区間となると考慮される。一部の実施形態では、ＦＥＦ/追加スロットは、ターゲット伝達システムの信号が存在しない(送信されない)所定のＲＦ周波数上の時間で区間となると考慮される。一部の実施形態で、物理スーパーフレームは、複数の物理フレーム及びＦＥＦを含むエンティティであると考慮される。一部の実施形態で、物理構成は、２個の物理スーパーフレームの境界のみで変更できる。一部の実施形態において論理フレームは、固定した個数のＱＡＭ(Quadrature  Amplitude  Modulation)セルとターゲット伝達システムの物理フレームへのデータ伝達のために所定の構造を有するコンセプトコンテナとなることが考慮される。一部の実施形態で、論理スーパーフレームは、複数の論理フレームを含むエンティティとなることが考慮される。一部の実施形態で、論理シグナリング情報は、２個の論理スーパーフレームの境界のみで変更できる。一部の実施形態で、論理チャンネルは、ターゲット伝達システムを介してデータの伝達に対して実質的に同一のサイズ及び送信確率を有する論理フレームのフローとなり得る。一部の実施形態で、論理チャンネルグループは、論理チャンネルのグループであり、それによってグループで１個の論理チャンネルの論理フレームを伝達する物理フレームがグループで他の論理チャンネルの論理フレームを伝達する物理フレームから時間で分離されるようにする(すなわち、時間でゼロオーバーラップ)。一実施形態で、転送ストリームは、伝達システム(例えば、ＤＶＢ-ＮＧＨ)によりエンドユーザー(end  user)に伝達されるサービスの組立(ensemble)に対するデータのストリームであると考慮される。転送ストリームは、伝達システムによりサービス要求事項により定義される複数の論理チャンネルに構造化することができる。
【０１７３】
図１５は、本発明の一実施例による無線ブロードキャスティングシステム１２００を概略的に示す。
【０１７４】
図１５を参照すると、この構造は、複数のサービス＃１〜＃Ｍ１２０４と一部の実施形態で、サービス要求情報を含む制御チャンネル１２０６を提供するサービスプロバイダ１２０２を含む。サービスプロバイダ１２０２は、ネットワークゲートウェイ１２１２を介してブロードキャスティングネットワークオペレータ１２１０でサービス及び制御情報を提供する。ネットワークゲートウェイ１２１２は、図示したように、サービスデータ及び要求事項のＰＬＰ及びＰＬＰサービス特性へのマッピングを提供するように配列できる。一実施形態で、サービスデータのマッピングは、サービス及び/又はサービスコンポーネントをマッピングすることを含むことができる。
【０１７５】
ネットワークゲートウェイ１２１２は、複数のＰＬＰ＃１〜＃Ｎ  １２１４及び一部の実施形態でシグナリングと、共通ＰＬＰデータ及び/又は補助ストリーム(auxiliary  stream)を伝達する制御ＰＬＰ  １２１６を介して複数の送信器１２２０，１２２２に駆動可能に接続する。図示したように、各送信器１２２０，１２２２は、その中でも後述するように、シグナリング生成と、フレーム生成及び送信を遂行するように構成される信号プロセッサブロック１２３０，１２３２を少なくとも含む。
【０１７６】
その後、ネットワークオペレータ１２１０の送信器１２２０，１２２２は、ＤＶＢ-ＮＧＨハンドセットのような受信器通信ユニット１２４０，１２４２にエアー無線信号、例えばＤＶＢ-ＮＧＨ信号を送信/放送する。受信器通信ユニット１２４０，１２４２は、下記に説明したように、受信された信号をプロセッシングと復号化する各信号プロセッサブロック１２５０，１２５２を含む。
【０１７７】
ＤＶＢシステムは、明確さのために別途に図示しないが、他の受信器及び送信器を含むことができる。
【０１７８】
本発明の実施形態により、送信器１２２０，１２２２の信号プロセッサブロック１２３０，１２３２及び受信器通信ユニット１２４０，１２４２の対応する信号プロセッサブロック１２５０，１２５２は、ＤＶＢシステムでデータストリームの送信及び受信を改善させるために適用される。
【０１７９】
図１６は、本発明の望ましい実施形態による受信器無線通信ユニットのブロック構成図である。
【０１８０】
図１６を参照すると、受信器無線通信ユニット１６００は、この実施形態で、デュプレックスフィルタ(duplex  filter)あるいは受信器１６００内で受信と送信チェーンとの間のアイソレーションを提供するアンテナスイッチ１６０４に望ましく接続するアンテナ１６０２を含むＤＶＢ-ＮＧＨユニットである。
【０１８１】
本発明の技術分野でよく知られているように、受信器チェーンは、受信器フロントエンド回路１６０６(受信、フィルタリング、及び中間(intermediate)又は基底帯域周波数変換を效率的に提供)を含む。フロントエンド回路１６０６は、信号プロセッシング機能部１６５０，１６５２に直列に接続される。信号プロセッシング機能ブロック１６５０，１６５２からの出力は、ＤＶＢ信号を表示する例に対して、スクリーン又は平面パネルディスプレイのように適合した出力デバイス１６１０に提供される。また、受信器チェーンは、全体加入部制御を維持する制御器１６１４を含む。また、制御器１６１４は、受信器フロントエンド回路１６０６及び信号プロセッシング機能ブロック１６５０，１６５２(一般的に、ＤＳＰにより実現)に接続される。制御器は、復号化/符号化機能、同期パターン、コードシーケンスのような動作体制を選択的に格納するメモリデバイス１６１６に接続する。
【０１８２】
本発明の実施形態により、メモリデバイス１６１６は、受信器無線通信ユニット１６００により構成/プロファイル情報を格納し、信号プロセッシング機能ブロック１６５０，１６５２により処理される。さらに、タイマ１６１８は、受信器通信ユニット１６００内の動作(例えば、時間関連信号の受信)、特にＤＶＢ-ＮＧＨ信号の受信に関するタイミングを制御するように制御器１６１４に駆動可能に接続する。
【０１８３】
また、一部の通信ユニットは、完全性のために送信器/変調回路１６２２及び電力増幅器１６２４を介して直列にアンテナ１６０２に接続する、キーパッドのような入力デバイス１６２０を含む送信器部分を含むことができる。送信器/変調回路１６２２と電力増幅器１６２４は、制御器１６１４に実現可能に反応する。明らかに、受信器１６００内の多様なコンポーネントは、アプリケーション特定又は設計選択される最終構造(ultimate  structure)を有する分散あるいは統合されたコンポーネント形態を用いて実現できる。
【０１８４】
本発明の実施形態により、信号プロセッシング機能１６５０，１６５２を持ち、信号プロセッシング機能１６５０，１６５２の制御及びガイドによる受信器フロントエンド回路１６０６、メモリデバイス１６１６、タイマ機能１６１８、及び制御器１６１４とともに、受信器１６００のＤＶＢ-ＮＧＨを受信してプロセッシングするために適用される。
【０１８５】
通常の知識を有する受信器信号プロセッシング機能１２５０，１２５２がＤＶＢ信号、フレーム、及びスーパーフレームに対する復号化以外にこれらを符号化及び生成するために配列されても、図１５のネットワークオペレータ送信器１２２０，１２２２のような無線送信器が、無線通信ユニット１６００の送信器部分として少なくとも類似した機能ブロックを含むことを理解することができる。
【０１８６】
図１７は、本発明の一部の実施形態による論理フレーム１７００の構造の一例を示す。本発明の実施形態で、論理フレーム１７００は、ネットワークオペレータの送信器１２２０，１２２２の信号プロセッサブロック１２３０，１２３２のように、ネットワークエンティティに含まれている信号プロセッサにより符号化及び構成することができる。同様に、論理フレームは、図１６の受信通信ユニット１６００で図１５の信号プロセッシング機能１２５０，１２５２により受信及び復号化することができる。
【０１８７】
簡略性のために、以下の説明は、送信器信号プロセッサブロック１２３０，１２３２の動作の側面で特徴を説明し、通常の知識を持った者は実際にその逆動作が対応する受信信号プロセッサブロック１２５０，１２５２により遂行されることを容易に理解できる。このような場合、上記動作の一側のみが説明され、その逆側面の動作は本質的に暗示される。
【０１８８】
論理フレーム（ＬＦ)１７００は、Ｌ１-ＰＯＳＴシグナリングフィールド１７０２と、多重ＰＬＰと、一部選択的実施形態では、その以後に一つ以上の補助ストリーム１７１４と、一部選択的実施形態では、その以後に一つ以上のダミーセル１７１６と、一部選択的実施形態で、その以後に追加的に特定タイプの一部ＰＬＰ１７１７(図４に図示せず)とを含むデータコンテナとして定義される。これと共に、信号プロセッシング論理は、論理フレーム１７００の余り能力を正確に満たすために、一つ以上の補助ストリーム１７１４と一つ以上のダミーセル１７１６を配列する。一部の実施形態で、補助ストリームは、例えば電力レベルメッセージをサポートする目的と、同期目的あるいは例外的なケースのために物理フレームに移動することができる。一部の実施形態において、補助ストリーム及びダミーセルのために使用されるセルの全体個数は、論理フレームの全体容量の５０％を超えないように設定することができる。他の実施形態では、信号プロセッシング論理は、補助ストリーム及びダミーセルのために使用されるセルの全体個数を、(一般的な動作条件による例に対して)論理フレームの全体容量の所定の他のパーセントに設定し、あるいは動的に設定することができる。
【０１８９】
したがって、各論理フレーム１７００は、Ｌ１-ＰＯＳＴシグナリング１７０２で開始する。本発明の実施形態で、Ｌ１-ＰＯＳＴシグナリング１７０２は、以後に一つ以上の共通ＰＬＰ１７０４と、その以後に、順次にタイプ１及びタイプ４のデータＰＬＰ(図示のように)１７０６，１７１２と、タイプ２のデータＰＬＰ１７０８と、補助ストリーム１７１４、ダミーセル１７１６、及びタイプ３のデータＰＬＰ１７１０が存在する。一部の実施形態において、データＰＬＰの各タイプは、論理フレームで送信/受信されず、それによってデータＰＬＰ１７０６，１７０８，１７１０，１７１２の各々は、論理フレーム１７００ごとに含まれることができない。
【０１９０】
一実施形態において、論理フレーム１７００は、Ｌ１-ＰＯＳＴシグナリングを使用するセルと共に開始され、これとは異なり、他の実施形態では、一部のセルがＬ１-ＰＯＳＴシグナリングを採用できない。したがって、論理フレーム１７００は、共通ＰＬＰ１７０４と、異なるタイプのデータＰＬＰ(タイプ１，２，３，４)１７０６，１７０８，１７１０，１７１２と、補助ストリーム１７１４と、ダミーセル１７１６を含むグループからいずれか一つを含むことができ、これらのうちいずれかに適用可能である。
【０１９１】
一部実施形態において、信号プロセッシング論理は、論理フレーム１７００内でＰＬＰ自身の位置を論理フレームから論理フレームへ動的に変更できる。
【０１９２】
他の実施形態で、上記したような論理フレーム１７００は、物理フレームへの論理フレームのマッピングを容易にする。
【０１９３】
図１８は、本発明の一実施形態による論理フレーム構造、例えば、図１７の論理フレーム構造でＰＬＰをマッピングするマッピング配列５００の一例を示す。一例のマッピング配列１８００は、Ｌ１-ＰＯＳＴシグナリング８０２と共通ＰＬＰ部分１８０４を提供するコード部分を含む完全論理フレームを示す。また、マッピング配列１８００は、タイプ１及びタイプ４のデータＰＬＰ１８０６〜１８０８、タイプ２のデータＰＬＰ１８１０〜１８１２、補助データストリーム１８１４、ダミーセル１８１６、及びタイプ３のデータＰＬＰ１８１７を提供するコード部分の一例を示す。一実施形態で、共通ＰＬＰ部分１８０４、データタイプ１、タイプ３、及びタイプ４のＰＬＰは、図示のように、論理フレーム別に正確に１個のサブスライスを有する。サブスライスは、単一ＰＬＰからの‘セルのグループ’として定義され、単一ＰＬＰは、インターリビング以前に、論理フレームで連続的なアドレスを用いてセルで送信される。このような方式で、タイプ１のＰＬＰのセルは、常に相互に隣接する。タイプ２ＰＬＰのセルは、論理フレームにわたったブロックで拡散される。タイプ２ＰＬＰは、論理フレームで多重サブスライスを有し、サブスライスは、ＲＦ信号にマッピングされる場合、増加されるダイバーシティのために論理フレームで拡散される。
【０１９４】
一実施形態で、実際のシナリオで、データタイプ２のＰＬＰ１８１０，１８１２は、図示のように、論理フレーム別に一つ以上のサブスライスを有する。一実施形態において、補助ストリーム１８１４及びダミーセル１８１６だけでなく、ＰＬＰのサブスライスは、信号プロセッサにより下記のように論理フレームのセルにマッピングできる。
【０１９５】
論理フレーム１８００は、Ｌ１-ＰＯＳＴシグナリング１８０２で始まる。
【０１９６】
共通ＰＬＰ１８０４は、Ｌ１-ＰＯＳＴシグナリング部分１８０２以後に直ちに論理フレーム１８００の開始で送信される。
【０１９７】
タイプ４のデータＰＬＰ１８０６，１８０８により一部ピギーバックされるタイプ１のデータＰＬＰは、共通ＰＬＰ１８０４の次に送信される。
【０１９８】
タイプ２のデータＰＬＰ１８１０，１８１２は、タイプ１及びタイプ４のデータＰＬＰ１８０６，１８０８の次に送信される。
【０１９９】
もし存在する場合、補助ストリーム又はストリーム１８１４は、データタイプ２  １８１０，１８１２の次に位置し、これはダミーセル１８１６の次に位置することができる。
【０２００】
もし存在する場合、データタイプ３のＰＬＰ１８１７は、ダミーセル１８１６の次に送信される。
【０２０１】
また、Ｌ１-ＰＯＳＴシグナリングと共に、ＰＬＰと、補助ストリーム及びダミーセルは、信号プロセッサにより論理フレーム１８００の容量を正確に満たすように構成される。
【０２０２】
図１９を参照すると、本発明の一部実施形態により、識別されるフレームタイプを有する論理フレーム構造１９００でＰＬＰをマッピングするマッピング配列１９００の一例を示す。論理フレーム構造１９００で、Ｌ１-ＰＯＳＴシグナリングのセルは、信号プロセッサにより論理フレーム１９００の最初の部分にマッピングされる。共通ＰＬＰ１９０２のセルは、信号プロセッサにより論理フレーム１９００の２番目の部分にマッピングされる(例えば、他のタイプのＰＬＰより低いセルアドレスを持たなければならない)。特定の論理フレーム１９００に対するいずれかの一つの共通ＰＬＰ１９０２のセルは、アドレスを増加させる順に、論理フレームのセルアドレスの単一隣接範囲に連続してマッピングできる。もし存在する場合、特定の論理フレーム１９００に対するピギーバックのタイプ４ＰＬＰを共に有するタイプ１ＰＬＰのセル１９０４は、アドレスを増加させる順に信号プロセッサにより、論理フレームのセルアドレスの単一隣接範囲に連続してマッピングされる。タイプ１及びタイプ４のＰＬＰ１９０４のすべてのセルは、存在する場合、共通ＰＬＰ１９０２の次に位置し、存在する場合、タイプ２ＰＬＰ１９０６、補助ストリーム、及びダミーセル、あるいはタイプ３ＰＬＰ以前に位置することができる。一実施形態において、特定の論理フレーム１９００に対するタイプ２ＰＬＰのセル１９０６は、複数のサブスライスに分割され、各サブスライスは、図示のようにすべてのタイプ２ＰＬＰに対するサブスライス区間１９０８に含まれる。ＰＬＰの各サブスライス１９１６は、信号プロセッサによりアドレスを増加させる順に、論理フレーム１９００のセルアドレスの隣接範囲にマッピングすることができる。一実施形態において、最初のタイプ２ＰＬＰの最初のサブスライス１９１４のセルは、信号プロセッサにより最後のタイプ１ＰＬＰ１９０４の最後のセルの次に開始されるように構成することができる。これらは、同一の順に処理されるＰＬＰを有する、各ＰＬＰに対する第２のサブスライスのセル１９１８の次に順次に位置する、他のタイプ２ＰＬＰの最初のサブスライスのセルの次に位置しなければならない。信号プロセッサにより構成される配列は、最後のＰＬＰの最後のサブスライスがマッピングされるまで連続する。
【０２０３】
図２０は、本発明の一部実施形態による論理フレーム構造で入力ストリーム同期(Input  Stream  Synchronisation：ＩＳＳＹ)フィールド２０２０を含む論理フレーム構造２０００の一例を示す。論理フレーム構造２０００は、Ｌ１-ＰＯＳＴシグナリングフィールドと、その次の共通ＰＬＰ２００２と、その次のタイプ１及びタイプ４のＰＬＰ２００４と、タイプ２ＰＬＰ２００６と、補助ストリームと、ダミーセル及びタイプ３ＰＬＰを含む。論理フレーム構造２０００で最初のタイプ１ＰＬＰは、複数の基底帯域(ＢＢ)フレーム２００８を含む。基底帯域フレーム２００８は、ＢＢヘッダーフィールド２０１０と、その次の１個のＰＬＰに対するデータ２０１２と、帯域内シグナリング２０１４及び追加パディング２０１６を含む。この実施形態では、少なくとも一つの(例えば、最初の)基底帯域フレームの帯域内シグナリング２０１４は、シグナリング部分２０１８とＩＳＳＹフィールド２０２０を含む。したがって、連続する基底帯域フレーム２００８は、ＢＢヘッダーフィールド２０１０と、その次の１個のＰＬＰに対するデータ２０１２と、帯域内シグナリング２０１４(ＩＳＳＹフィールド２０２０を含まない)及び追加パディング７１６を含む。
【０２０４】
一実施形態において、図示されている３バイトのＩＳＳＹフィールド２０２０は、変調器クロックレート１/Ｔでクロック化されるカウンタの値を伝達でき、受信器により再生成された出力ストリームの正確なタイミングを再生成するために使用することができる。一実施形態で、ＩＳＳＹフィールド２０２０は、１個の論理フレーム２０００で所定のＰＬＰの少なくとも一つの(例えば、最初の)基底帯域フレームの帯域内シグナリングタイプＢで送信される。１個の論理フレーム２０００で多重関連ＰＬＰのイベントで、ＩＳＳＹフィールド２０２０は、少なくとも一つのＰＬＰ、すなわちアンカー(anchor)ＰＬＰの少なくとも一つ(最初)の基底帯域フレームの帯域内シグナリングタイプＢで送信できる。この方式で、入力ストリーム同期(ＩＳＳＹ)フィールド２０２０を含む論理フレーム構造２０００は、基本的に１個の論理フレームで多重関連ＰＬＰに対するすべてのデータパケットが遅延及び/又はジッター(jitter)と類似した経験をする事実によってシグナリングオーバーヘッドを減少させることができる。
【０２０５】
図２１は、本発明の一部実施形態による論理スーパーフレーム構造２１００の一例を示す。論理スーパーフレーム２１００で論理フレーム＃ｍ２１１０，２１２０(明瞭性ののために簡略化した例で２個のみを有する)の個数は、信号プロセッサにより構成された、構成可能シグナリングＬ１-ＣＯＮＦでシグナリングされる構成可能パラメータであり得る。この実施形態で、所定の論理スーパーフレーム２１００で論理フレーム２１１０，２１２０の最大個数は‘２５５’と同一である。
【０２０６】
一般的に、Ｌ１_Ｐｒｅは、送信され、フレームフォーマットに関する情報の最小量を伝達し、それによって小さいオーバーヘッドを招く。Ｌ１_Ｐｒｅを使用して、ＮＧＨ受信器は、次のＮＧＨ論理フレームがスケジューリングされるだけでなく、ＮＧＨ物理スロットの開始/終了及びその区間を知っている。
【０２０７】
一実施形態において、(Ｌ１-ダイナミックの他のコンポーネントと比較して)Ｌ１-ＰＯＳＴシグナリングフォーマット２０１２，２１１２とＬ１-ＰＯＳＴの構成可能部分(Ｌ１-ＣＯＮＦ)をシグナリングするＬ１_ＰＲＥに定義されるすべてのパラメータは、信号プロセッサにより２個の論理スーパーフレーム２１００の境界のみで変更できる。Ｌ１_Ｐｒｅ、Ｌ１-ｃｏｎｆｉｇｕｒａｂｌｅ、及びＬ１-ｄｙｎａｍｉｃのコンセプトが物理フレームのコンテキストのみで予め知られていることを明らかにする必要がある。
【０２０８】
したがって、一実施形態で、受信器は、帯域内タイプＡのみを受信する場合、(図１６のタイマ１６１８内に含まれているカウンタのような)カウンタは、Ｌ１構成可能パラメータでの変更を有する次の論理スーパーフレーム８００を表すように構成することができる。この方式で、受信器は、変更が適用される場合、認知された論理スーパーフレーム２１００の最初の論理フレームでＬ１-ＰＯＳＴ２１０２，２１１２から新たなＬ１-ＣＯＮＦパラメータを確認できる。
【０２０９】
一実施形態において、データＰＬＰ２１０４，２１１４は、毎論理フレームにマッピングされる必要はない。上記のような状況で、データＰＬＰ２１０４，２１１４は、信号プロセッサにより論理スーパーフレーム２１００で多重論理フレーム２１１０，２１２０を介してジャンプするように構成することができる。このフレーム区間ＩJUMPはＰＬＰ_ＬＦ_ＩＮＴＥＲＶＡＬパラメータにより決定することができ、データＰＬＰが現れる最初の論理フレームは、ＰＬＰ_ＦＩＲＳＴ_ＬＦ_ＩＤＸパラメータにより決定される。パラメータＰＬＰ_ＬＦ_ＩＮＴＥＲＶＡＬとＰＬＰ_ＦＩＲＳＴ_ＬＦ_ＩＤＸは、構成可能シグナリングＬ１-ＣＯＮＦを用いてシグナリングできる。論理スーパーフレーム２１００間のデータＰＬＰ２１０４，２１１４の固有マッピングを有するために、論理スーパーフレーム２１００別論理フレーム２１１０，２１２０の個数は、信号プロセッサにより毎データＰＬＰ２１０４，２１１４に対する‘ＰＬＰ_ＬＦ_ＩＮＴＥＲＶＡＬ’の係数(factor）で分割するように構成できる。一例で、データＰＬＰ２１０４，２１１４は、信号プロセッサにより(ＬＦ_ＩＤＸ−ＰＬＰ_ＦＩＲＳＴ_ＬＦ_ＩＤＸ)ｍｏｄ  ＰＬＰ_ＬＦ_ＩＮＴＥＲＶＡＬ＝０である論理フレーム２１１０，２１２０にマッピングすることができる。
【０２１０】
一実施形態において、論理スーパーフレームに含まれている論理フレームの個数は、毎データＰＬＰに対して論理スーパーフレーム別に整数個の順方向誤り訂正(Forward  Error  Correction：ＦＥＣ)ブロックが存在するように信号プロセッサにより選択することができる。
【０２１１】
Ｌ１-ＣＯＮＦの一例は、次のようである。
【０２１２】
ＰＬＰ_ＡＮＣＨＯＲ_ＦＬＡＧ：一例で、ＰＬＰ_ＡＮＣＨＯＲ_ＦＬＡＧは、ＰＬＰ_ＩＤにより識別されるＰＬＰがすべての関連ＰＬＰに対するアンカーＰＬＰであるか否かをを表す１ビットフィールドであり得る。例えば、値‘１’は、アンカーＰＬＰを表すことができる。
【０２１３】
ＰＬＰ_ＩＮ  ＢＡＮＤ_Ａ_ＦＬＡＧ：一例で、ＰＬＰ_ＩＮ  ＢＡＮＤ_Ａ_ＦＬＡＧは、現在のＰＬＰが帯域内タイプＡシグナリング情報を伝達するか否かを表す１ビットフィールドであり得る。例えば、このフィールドが値‘１’に設定される場合、関連ＰＬＰは、帯域内タイプＡシグナリング情報を伝達する。一例で、ＰＬＰ_ＩＮ-ＢＡＮＤ_Ａ_ＦＬＡＧフィールドが値‘０’に設定される場合、帯域内タイプＡシグナリング情報は伝達することができない。ＰＬＰ_ＡＮＣＨＯＲ_ＦＬＡＧの値が‘０’に設定される場合(すなわち、アンカーＰＬＰでない場合)、ＰＬＰ_ＩＮ-ＢＡＮＤ_Ａ_ＦＬＡＧの値は‘０’に設定することができる。
【０２１４】
ＰＬＰ_ＴＹＰＥ：一例で、ＰＬＰ_ＴＹＰＥは、関連ＰＬＰ_ＭＯＤＥのタイプを表す３ビットフィールドであり得る。ＰＬＰ_ＴＹＰＥは、以下の＜表４＞によってシグナリングできる。
【０２１５】
【表４】
2015523765.tif 000010
【０２１６】
ＰＬＰ_ＩＳＳＹ_ＭＯＤＥ：一例で、ＰＬＰ_ＩＳＳＹ_ＭＯＤＥは、ＩＳＳＹ-ＢＦ、ＩＳＳＹ-ＬＦ、あるいはＩＳＳＹ-ＵＰモードが所定のＰＬＰのために使われるか否かを表す２ビットフィールドであり得る。モードは、下記の＜表５＞によってシグナリングできる。
【０２１７】
【表５】
2015523765.tif 000011
【０２１８】
＜帯域内タイプＡ＞
Ｌ１_ＰＯＳＴ_ＤＥＬＴＡ：一実施形態において、Ｌ１_ＰＯＳＴ_ＤＥＬＴＡは、ＱＡＭセルでＬ１_ＰＲＥシグナリングを伝達する最後のセルと現在のＮＧＨフレームで開始される最初の論理フレームの最初のセルとの間のギャップを表す２４ビットフィールドである。この値(ＨＥＸ)ＦＦＦＦＦＦは、現在ＮＧＨフレームで新たな論理フレームが開始されないことを意味する。
【０２１９】
ＬＣ_ＮＥＸＴ_ＦＲＡＭＥ_ＤＥＬＴＡ：一実施形態で、ＬＣ_ＮＥＸＴ_ＦＲＡＭＥ_ＤＥＬＴＡは、現在のＮＧＨフレームと現在の論理チャンネルを伝達する次のＮＧＨフレームとの間のＴ周期で相対的タイミングを表す２４ビットフィールドである。
【０２２０】
ＰＬＰ_ＲＦ_ＩＤＸ_ＮＥＸＴ：一実施形態で、ＬＣタイプＤ  ＰＬＰに対して、ＰＬＰ_ＲＦ_ＩＤＸ_ＮＥＸＴは、ＰＬＰが発生する次の論理フレーム(ｎ＋２)の次の論理フレームで現在のＰＬＰのＲＦ周波数を表す３ビットフィールドである。この値は、Ｌ１_ＰＲＥのＬＣ_ＣＵＲＲＥＮＴ_ＦＲＡＭＥ_ＲＦ_ＩＤＸにより解析できる。ＬＣタイプＡ，Ｂ，Ｃに対して、このフィールドは、将来的な使用のために予約できる。
【０２２１】
図２２は、本発明の一部実施形態による論理フレーム２２１０，２２１２のシーケンスを含む論理チャンネル構造２２００の一例を示す。
【０２２２】
しかしながら、この実施形態において、論理チャンネル(ＬＣ)２２００は、各々がＬ１-ＰＯＳＴシグナリング２２０２で開始される、論理フレーム２２１０，２２１２のシーケンスとして定義される。この実施形態例で、ＬＣ２２００は、ネットワークで使用可能な‘１’〜‘Ｎ’個のＲＦ周波数のパターンを介して送信可能な(明瞭性のために簡略化された例で３個のＲＦ周波数、ＲＦ１  ２２１４、ＲＦ２  ２２１６、ＲＦ３  ２２１８を有する)。ネットワークにおいて１個の転送ストリームでＭ個の論理チャンネルが存在できる。
【０２２３】
論理チャンネルの４個のタイプ、すなわち物理フレームに対するマッピングを表すタイプＡ、タイプＢ、タイプＣ、及びタイプＤが定義される。
【０２２４】
したがって、論理チャンネルは、グループで配列され、グループで単一受信チューナ(tuner)を使用するグループのすべての論理チャンネルメンバーを受信することが(時々及び常に)可能であり、それによって受信器１６００が２個の論理チャンネルを復号化することが可能になる。
【０２２５】
論理チャンネルの各グループは、固有識別子ＬＣ_ＧＲＯＵＰ_ＩＤにより識別される。
【０２２６】
図示されている例で、第１の論理チャンネルＬＣ１  ２２２４，２２２６，２２２８及び第２の論理チャンネルＬＣ２  ２２３０，２２３２は、同一のグループに属し、ＬＣ１  ２２２４，２２２６，２２２８はタイプＣで構成され、ＬＣ２はタイプＡで構成される。(送信器側で)信号プロセッサは、時間ドメインでゼロオーバーラップ(zero  overlap)を有する論理チャンネルを構成することに留意しなければならない。
【０２２７】
図２３は、本発明の一部実施形態による論理フレームのシーケンスを含む論理チャンネルタイプＡ構造２３００の一例を示す。
【０２２８】
図２３を参照すると、一実施形態において、論理チャンネル(ＬＣ)タイプＡは、信号プロセッサにより論理チャンネル２３０８の各論理フレーム(ＬＦ)２３０４，２３０６が単一ＲＦチャンネル２３０２上で一つの物理ＤＶＢ-ＮＧＨフレーム２３１０にマッピングされる場合に対応するように構成される。したがって、この方式で、各物理ＤＶＢ-ＮＧＨフレーム２３１０は、信号プロセッサにより論理チャンネル２３０８の一つの論理フレーム２３０４，２３０６のみからセルを含むように構成することができる。所定の論理チャンネル２３０８の論理フレーム２３０４，２３０６を伝達するすべての物理フレームは、信号プロセッサにより、例えば、フレームインデックス番号(ＦＲＡＭＥ_ＩＤＸ)を除き、同一の長さ及び同一のＬ１-ＰＲＥシグナリングを有するように構成することができる。この方式で、論理フレームと物理ＤＶＢ-ＮＧＨフレームとの間の１：１マッピングが達成できる。論理チャンネルタイプＡ構造２３００で未来拡張フィールド(ＦＥＦ)２３１２は、ＤＶＢ-ＮＧＨのＦＥＦであり、ＤＶＢ-Ｔ２システムのＦＥＦでないことに留意しなければならない。
【０２２９】
したがって、図２３に示した例において、タイプＡのＬＣ２３０８は、１個のＬＦ２３０４のすべてのセルにマッピングされ、１個のＬＦ２３０４のすべてのセルは、第２のＬＦ２３０６(タイプＡの同一のＬＣ２３０８から)のすべてのセルを伝達するために連続して使われる同一の物理フレーム２３１０を有する１個の物理フレーム２３１０で伝達される。
【０２３０】
論理チャンネルタイプＡに対して、各論理フレームは第１の論理フレームセルが第１の物理フレームデータセル(物理フレームで最小データセルアドレス)にマッピングされ、最後の論理フレームセルが最後の論理フレームデータセル(物理フレームで最大データセルアドレス)にマッピングされる方式を使用して１個の物理フレームに同期化される。すべての論理フレームは、単一ＲＦ周波数上で伝送される。したがって、論理フレームのシーケンスは、物理フレームのシーケンス上で、所定の論理チャンネルを伝達する物理フレーム別に正確に１個の論理フレームを用いて伝送される。
【０２３１】
図２４は、本発明の一部実施形態による論理フレームのシーケンスを含む論理チャンネルタイプＢ構造１１００の一例を示す。
【０２３２】
図２４を参照すると、論理チャンネルタイプＢは、一実施形態で、信号プロセッサにより論理チャンネル(ＬＣ)１１０８の各論理フレーム２４０４，２４０６が単一ＲＦチャンネル２４１０上で多重(Ｎ)ＤＶＢ-ＮＧＨ物理フレーム２４０２，２４０３にマッピングされる場合に対応するように構成される。この実施形態において、信号プロセッサは、物理フレームが同一の長さを有するように配列される。この実施形態で、信号プロセッサは、各論理フレームが分割されて同一のＲＦチャンネル２４１０で多重ＤＶＢ-ＮＧＨ物理フレーム２４０２，２４０３にマッピングされるように配列され、これによって各ＤＶＢ-ＮＧＨ物理フレーム２４０２，２４０３は、同一の論理チャンネル２４０８の多重論理フレーム２４０４，２４０６からのセルを含むことができる。信号プロセッサは、すべてのＤＶＢ-ＮＧＨ物理フレームを構成し、フィールドＬ１_ＰＯＳＴ_ＤＥＬＴＡ及びＦＲＡＭＥ_ＩＤＸを含まない一例で、同一のＬ１_ＰＲＥシグナリング２４１２を有する。したがって、この例で、１個の論理フレームは、２個以上のＤＶＢ-ＮＧＨ物理フレームに時間-多重化できる。
【０２３３】
論理チャンネルタイプＢに対して、論理フレームセルのストリームは、論理フレームの第１のセルが物理フレームに含まれているデータセルのうちいずれか一つにマッピングされる方式を使用して、物理フレームデータセルのストリームにマッピングされる。上記した最初のセルより以後のＰ個のセルである論理フレームストリームのセルは、上記した第１の論理フレームがマッピングされる物理フレームセルより以後のＰ個のセルである物理フレームストリームセルにマッピングされなければならない。論理フレームが現在物理フレームで完了しない場合、論理フレームは、物理フレームの第１のデータセルから同一の論理チャンネルの次の物理フレームで続く。論理フレームが現在物理フレームで完了する場合、同一の論理チャンネルのその次の論理フレームは、いずれのギャップなしに直ちに開始される。すべての論理フレームは、単一ＲＦ周波数で伝えられる。論理チャンネルタイプＢは、論理チャンネルタイプＡの拡大集合(superset)であり、論理チャンネルタイプＡの拡大集合は特定ケースを含む。
【０２３４】
図２５は、本発明の一部実施形態による論理フレームのシーケンスを含む論理チャンネルタイプＣ構造２５００の一例を示す。
【０２３５】
図２５を参照すると、論理チャンネルタイプＣ構造２５００は、信号プロセッサにより第１の論理チャンネル２５１２，２５１４，２５１６の各論理フレーム及び第２の論理チャンネル２５１８，２５２０，２５２２の各論理フレームが多重(Ｍ)ＲＦチャンネル、ＲＦ１  ２５０２，ＲＦ２  ２５０４，ＲＦ３  ２５０６上で多重(Ｎ)物理ＤＶＢ-ＮＧＨフレームにマッピングされる場合に対応するように構成される。一実施形態において、異なるＲＦチャンネル２５０２，２５０４，２５０６からの物理ＤＶＢ-ＮＧＨフレームは、信号プロセッサにより１個の単一チューナ(図示せず)を有する受信に対して許容される時間で分離できる。図示されている一実施形態において、異なるＲＦチャンネル２５０２，２５０４，２５０６からの物理ＤＶＢ-ＮＧＨフレームは、信号プロセッサにより相互に異なる長さとなるように構成することができる。
【０２３６】
一実施形態において、各論理フレームは、多重(Ｍ)ＲＦチャンネル２５０２，２５０４，２５０６上で分割されて多重ＤＶＢ-ＮＧＨ物理フレームをマッピングし、それによって各物理ＤＶＢ-ＮＧＨフレームは、同一の論理チャンネルの多重論理フレームからのセルを含むことができる。
【０２３７】
一実施形態において、すべての物理ＤＶＢ-ＮＧＨフレームは、信号プロセッサにより同一のＬ１_ＰＲＥシグナリング２５１０を有するように構成することができ、例えば同一のＬ１_ＰＲＥシグナリング２５１０は、フィールドＬ１_ＰＯＳＴ_ＤＥＬＴＡ、ＬＣ_ＣＵＲＲＥＮＴ_ＦＲＡＭＥ_ＰＯＳＩＴＩＯＮ、ＬＣ_ＣＵＲＲＥＮＴ_ＦＲＡＭＥ_ＲＦ_ＩＤＸ、ＬＣ_ＮＥＸＴ_ＦＲＡＭＥ_ＲＦ_ＩＤＸ、及びＦＲＡＭＥ_ＩＤＸを含めない。
【０２３８】
したがって、図示の実施形態では、第１の論理チャンネルＬＣ１及び第２の論理チャンネルＬＣ２は、全部タイプＣであり、同一のＬＣグループのメンバーであり得る。上記実施形態で、ＬＣ１は、まず、第１のＲＦチャンネルＲＦ１  ２５０２で送信され、その後に第２のＲＦチャンネルＲＦ２  ２５０４、その次に第２のＲＦチャンネルＲＦ１  ２５０２が送信される。このプロセスは、反復される。
【０２３９】
図示のような実施形態では、ＬＣ２が第３のＲＦチャンネルＲＦ３  ２５０６で送信され、その後に第２のＲＦチャンネルＲＦ２  ２５０４、その次に第３のＲＦチャンネルＲＦ３  ２５０６で送信される。また、このプロセスは反復される。この方式で、各論理チャンネルは、使用される各論理チャンネルの固有サイクル及び固有周波数の集合を有する。図２５で、(送信)信号プロセッサは、信号の時間及び周波数多重化を用いて異なるＲＦチャンネル間をスイッチする受信器に対する時間ギャップを設定する。
【０２４０】
論理チャンネルタイプＣに対して、論理チャンネルを伝達するために使用される物理フレームは、異なるＲＦ周波数で送信され、異なるＲＦ周波数を使用する連続した物理フレームは、時間分離される必要があることを除き、論理フレームは、論理チャンネルタイプＢに対する方式と同一の方式を使用してマッピングされる。論理チャンネルタイプＣは、論理チャンネルタイプＢの拡張集合で、この拡張集合は特定ケースを含む。
【０２４１】
図２６は、本発明の一部実施形態による論理フレーム２６０８，２６１０のシーケンスを含む論理チャンネルタイプＤ構造２６００の一例を示す。
【０２４２】
図２６を参照すると、一実施形態では、論理チャンネルタイプＤは、信号プロセッサにより論理チャンネルの各論理フレームが多重(Ｎ)ＲＦ周波数(明瞭性のために簡略化した例で図示されている３個のＲＦ周波数２６０２，２６０４，２６０６)上で多重(Ｎ)物理ＤＶＢ-ＮＧＨフレーム(明瞭性ののために簡略化した例で図示されている時間２６０８，２６１０で３個の物理ＤＶＢ-ＮＧＨフレーム)に１対１でマッピングされる場合に対応するように構成される。物理ＤＶＢ-ＮＧＨフレーム２６０８，２６１０は、信号プロセッサにより同一の長さで時間-同期化されるように構成することができる。この方式で、時間同期は、物理ＤＶＢ-ＮＧＨフレーム２６０８，２６１０それぞれのプリアンブル(preamble)Ｐ１が同一のフレームインデックスを用いて論理チャンネルを伝達して同一の時間で開始することを可能にする。一実施形態では、物理ＤＶＢ-ＮＧＨフレーム２６０８，２６１０は、信号プロセッサにより１個の論理フレームのみからのセルを含むように構成されることができ、それによって、一実施形態で、各論理フレームは、すべての同時物理フレームで使用可能なように構成することができる。したがって、一実施形態で、１個の論理フレームは、各々が１個のＲＦチャンネルにマッピングされる時間同期化される物理ＤＶＢ-ＮＧＨフレームの集合にマッピングされる。
【０２４３】
論理チャンネルタイプＤの論理フレームは、ＬＣ_ＮＵＭ_ＲＦ列(column)とＬＣ_ＬＦ_ＳＩＺＥ/ＬＣ_ＮＵＭ_ＲＦ行(row)を有する単一論理フレーム行列で配列される。パラメータＬＣ_ＮＵＭ_ＲＦ及びＬＣ_ＬＦ_ＳＩＺＥは、Ｌ１_ＰＲＥシグナリングを使用して提供され、各々所定の論理チャンネルに対する１個の論理フレームのＲＦ周波数の個数及びそのセルサイズを表すことができる。論理チャンネルタイプＤの各論理フレームは、論理フレームの各列を第１の物理フレームデータセル(物理フレームに含まれている最小データセルアドレス)にマッピングされる論理フレームの最初のセルと最後の物理フレームデータセル(物理フレームに含まれている最大データセルアドレス)にマッピングされる最後の論理フレームセルを有する各列の該当ＲＦ周波数のセルにマッピングされる方式で、ＲＦ周波数当たり１個の論理フレームを有する、１個の並列物理フレームの集合に同期化する。したがって、論理フレームのシーケンスは、物理フレームの各集合当たり正確に１個の論理フレームを有し、ＲＦ周波数当たり１個の物理フレームを有する物理フレームの集合のシーケンスを用いて伝えられる。所定の論理タイプＤを伝達するために使用されるＲＦ周波数の集合が構成可能である。
【０２４４】
図２７Ａ及び図２７Ｂは、本発明の一部実施形態による論理チャンネル構造２７００でＬ１_Ｐｒｅシグナリングフィールドの表の一例を示す。
【０２４５】
図２７Ａ及びＢを参照すれば、一実施形態で、すべての同期化される物理フレームは上記したフィールドを除き、同一のＬ１_ＰＲＥシグナリングを有するように構成することができる。論理チャンネル構造２７００に含まれているＬ１_ＰＲＥシグナリングフィールドの表の一列に含まれている新しいフィールドの個数は、信号プロセッサにより導入される。
【０２４６】
Ｌ１_ＰＯＳＴ_ＤＥＬＴＡ：一例で、Ｌ１_ＰＯＳＴ_ＤＥＬＴＡは、ＱＡＭセルでＬ１-ＰＲＥシグナリングを伝達する最後のセルと現在のＮＧＨフレームで開始する最初の論理フレームの最初のセルとの間のギャップを表す２４ビットフィールドであり得る。この値(ＨＥＸ)ＦＦＦＦＦＦは、いかなる新たな論理フレームも現在のＮＧＨフレームで開始されないことを意味するように構成できる。
【０２４７】
ＬＣ_ＧＲＯＵＰ_ＩＤ：一例で、ＬＣ_ＧＲＯＵＰ_ＩＤは、(現在のＮＧＨフレームで伝達される)現在の論理チャンネルが属している論理チャンネルのグループの識別子(ＩＤ)を提供する２ビットフィールドであり得る。一部実施形態において、、単一チューナを用いて論理チャンネルグループのすべての論理チャンネルメンバーを受信することができる。
【０２４８】
ＬＣ_ＮＵＭ：一例で、ＬＣ_ＮＵＭは、現在のＮＧＨフレームで伝達可能な(すなわち、そのＩＤがＬＣ_ＧＲＯＵＰ_ＩＤにより与えられた)現在のＬＣグループの論理チャンネルメンバーの全体個数を表す３ビットフィールドであり得る。一実施形態で、ＬＣ_ＮＵＭの最小値は、‘１’に設定することができる。
【０２４９】
ＬＣ_ＩＤ：一例で、ＬＣ_ＩＤは、現在のＤＶＢ-ＮＧＨフレームで伝達される現在の論理チャンネルの識別子(ＩＤ)を表す３ビットフィールドであり得る。一例で、ＬＣ_ＩＤの値は、‘０’から‘ＬＣ_ＮＵＭ-１’までの範囲で構成することができる。
【０２５０】
ＬＣ_ＴＹＰＥ：一例で、ＬＣ_ＴＹＰＥは、現在のＮＧＨフレームで伝達される現在の論理チャンネルのタイプを表す３ビットフィールドであり得る。
【０２５１】
ＬＣ_ＮＵＭ_ＲＦ：一例で、ＬＣ_ＮＵＭ_ＲＦは、現在の論理チャンネルにより使用されるＲＦチャンネルの個数ＮＲＦを表す３ビットフィールドであり得る。周波数は、Ｌ１-ＰＯＳＴシグナリングの構成可能パラメータ内でリストできる。
【０２５２】
ＬＣ_ＣＵＲＲＥＮＴ_ＦＲＡＭＥ_ＲＦ_ＰＯＳ：一例で、ＬＣ_ＣＵＲＲＥＮＴ_ＦＲＡＭＥ_ＲＦ_ＰＯＳは、現在の論理チャンネルにより使用されるＲＦチャンネのサイクルで現在のＤＶＢ-ＮＧＨフレームのＲＦチャンネルの位置を表す３ビットフィールドであり得る。
【０２５３】
ＬＣ_ＣＵＲＲＥＮＴ_ＦＲＡＭＥ_ＲＦ_ＩＤＸ：一例で、ＬＣ_ＣＵＲＲＥＮＴ_ＦＲＡＭＥ_ＲＦ_ＩＤＸは、現在の論理チャンネルを伝達するために使用される現在のＤＶＢ-ＮＨＧフレームのＲＦチャンネルのインデックスを表す３ビットフィールドであり得る。
【０２５４】
ＬＣ_ＮＥＸＴ_ＦＲＡＭＥ_ＲＦ_ＩＤＸ：一例で、ＬＣ_ＮＥＸＴ_ＦＲＡＭＥ_ＲＦ_ＩＤＸは、現在の論理チャンネルを伝達するために使用される次のＤＶＢ-ＮＧＨフレームのＲＦチャンネルのインデックスを表す３ビットフィールドであり得る。
【０２５５】
ＬＣ_ＮＥＸＴ_ＦＲＡＭＥ_ＤＥＬＴＡ：一例で、ＬＣ_ＮＥＸＴ_ＦＲＡＭＥ_ＤＥＬＴＡは、現在のＮＧＨフレームと現在の論理チャンネルを伝達する次のＮＧＨフレームとの間のＴ周期での相対的タイミングを表す２４ビットフィールドであり得る。
【０２５６】
図２８は、本発明の上記した実施形態により、一部の信号プロセッサにより導入される論理チャンネルタイプ(ＬＣタイプ)２８００の表の一例を示す。
【０２５７】
図２８を参照すると、次のようである。
【０２５８】
ＬＣ_ＴＹＰＥ-Ａ２８０２：この例で、ＬＣ_ＴＹＰＥ-Ａ２８０２は、単一ＲＦチャンネルで伝送される論理チャンネルを表す３ビットフィールドであり得る。論理チャンネルの各論理フレームは、１個のＮＧＨフレームで伝送される。これは、バンドリング(bundling）が時間ドメイン又は周波数ドメインで使用されない場合である。
【０２５９】
ＬＣ_ＴＹＰＥ-Ｂ２８０４：この例で、ＬＣ_ＴＹＰＥ-Ｂ２８０４は、単一ＲＦチャンネルで伝送される論理チャンネルを表す３ビットフィールドであり得る。論理チャンネルの各論理フレームは、１個以上のＮＧＨフレームで伝送することができる。これは、(例えば、単一ＲＦチャンネル上でＮＧＨフレームにわたって)バンドリングが時間ドメインで使用される場合である。
【０２６０】
ＬＣ_ＴＹＰＥ-Ｃ２８０６：この例で、ＬＣ_ＴＹＰＥ-Ｃ２８０６は、１個以上のＲＦチャンネルを伝達する論理チャンネルを表す３ビットフィールドであり得る。論理チャンネルの各論理フレームは、１個以上のＲＦチャンネル上で１個以上のＮＧＨフレームで伝送することができる。これは、(すなわち、多重ＲＦチャンネル上の時間ドメインでＮＧＨフレームにわたって)バンドリングが時間ドメイン及び周波数ドメインで使用される場合である。
【０２６１】
ＬＣ_ＴＹＰＥ-Ｄ２８０８：この例で、ＬＣ_ＴＹＰＥ-Ｄ２８０８は、論理チャンネルが一つ以上のＲＦチャンネルで伝送されることを表す３ビットフィールドであり得る。論理チャンネルの各論理フレームは、ＲＦ周波数別に１個のＮＧＨフレームを有する並列及び時間-同期化したＮＧＨフレームの集合で伝送することができる。これは、時間周波数スライシング(Time  Frequency  Slicing：ＴＦＳ)が使用される(すなわち、各々が異なるＲＦ周波数上の、時間-同期化したＮＧＨフレームの集合にわたる)場合である。
【０２６２】
図示のように、他の使用可能なビットパターンは、将来的にされる２８１０のために予約され得る。
【０２６３】
図２９は、本発明の一部実施形態による論理チャンネルを受信する受信器の初期スキャニング動作２９００の一例を示すフローチャートである。
【０２６４】
図２９を参照すると、信号プロセッサ、すなわち図１６の信号プロセッサ１２５０，１２５２は、ステップ２９０４で、全体ＲＦ周波数がスキャンしたか否かを判定する。ステップ２９０４で、すべてのＲＦ周波数がスキャンされない場合、信号プロセッサ１２５０，１２５２は、ステップ２９０６でＲＦ周波数を選択する。信号プロセッサ１２５０，１２５２は、その後にステップ２９０８でＰ１を検出し、ステップ２９０６から選択されたＲＦ周波数がステップ２９１０でサポートされる信号であるか否かを判定する。判定の結果、信号がサポートされる場合、ステップ２９１２で信号プロセッサ１２５０，１２５２は、Ｌ１_ＰＲＥを復号化する。そうでないと、信号がサポートされない場合、信号プロセッサは、ステップ２９０８に戻ってＰ１を検出する。Ｌ１_ＰＲＥがステップ２９１２で復号化された場合、信号プロセッサ１２５０，１２５２は、ＬＣ  ＩＤがステップ２９１４で既にスキャンされたか否かを判定する。ＬＣ  ＩＤがステップ２９１４で既にスキャンされた場合、信号プロセッサ１２５０，１２５２は、ステップ２９１６で現在のＬＣに対して指示される次のＲＦ以外の異なるＲＦに移動した後、ステップ２９１２に戻ってＬ１_ＰＲＥを復号化する。ＬＣ  ＩＤがステップ２９１４で既にスキャンされていない場合、信号プロセッサ１２５０，１２５２は、Ｌ１-ＰＯＳＴがステップ２９１８で使用可能であるか否かを判定する。
【０２６５】
Ｌ１-ＰＯＳＴがステップ２９１８で使用可能でない場合、信号プロセッサ１２５０，１２５２は、ステップ２９２０で現在のＬＣの次のＲＦに移動し、ステップ２９１２に戻ってＬ１_ＰＲＥを復号化する。Ｌ１-ＰＯＳＴが使用可能である場合、信号プロセッサ１２５０，１２５２は、ステップ２９２２でＬ１-ＰＯＳＴを復号化し、ステップ２９０４に戻り、すべてのＲＦ周波数がスキャンされたか否かを判定する前にステップ２９２４でＬ１-ＣＯＮＦを抽出する。すべてのＲＦ周波数がスキャンされた場合、信号プロセッサ１２５０，１２５２は、ステップ２９０２で初期スキャニング動作を終了する。
【０２６６】
したがって、このような方式で、初期スキャニングステップの間、受信器は、各ＬＣにより使用される(ステップ２９２４で、ＲＦチャンネル及び反復パターン及びサイクル、順序、インデックス、及び中心周波数を介して各ＬＣにより使用される)周波数ホッピングパターンを獲得することが可能である。
【０２６７】
図３０は、本発明の一部実施形態による論理チャンネルを受信する受信器のノーマル受信動作３０００のフローチャートの一例を示す。
【０２６８】
図３０を参照すると、信号プロセッサ、すなわち図１６の信号プロセッサ１２５０，１２５２は、ステップ３００２で所望のＬＣ及びＰＬＰを決定する。すると、信号プロセッサ１２５０，１２５２は、ステップ３００６でＰ１を検出する前に、ステップ３００４で最初のＲＦ周波数を選択する。その後、信号プロセッサ１２５０，１２５２は、ステップ３００８で、信号がサポートされるか否かを判定する。信号がステップ３００８でサポートされない場合、信号プロセッサ１２５０，１２５２は、ステップ３００６に戻ってＰ１を更に検出する。信号がステップ３００８でサポートされる場合、信号プロセッサ１２５０，１２５２は、ステップ３０１０で、Ｌ１_ＰＲＥフィールドを復号化する。ステップ３０１２で、信号プロセッサ１２５０，１２５２は、現在のＬＣが所望するＬＣであるか否かを判定する。現在のＬＣがステップ３０１２で所望するＬＣでない場合、信号プロセッサ１２５０，１２５２は、その後にステップ３０１６で現在の所望しないＬＣのすべての次のＲＦ周波数を導出及び記録し、ステップ３０１０に戻ってＬ１_ＰＲＥを復号化する前に、ステップ３０１４で、現在の所望しないＬＣ又は以前の所望しないＬＣが次のＲＦ周波数と異なるＲＦ周波数に移動する。
【０２６９】
現在のＬＣがステップ３０１２で所望するＬＣである場合、信号プロセッサ１２５０，１２５２は、ステップ３０１８でＬ１-ＰＯＳＴが使用可能であるか否かを判定する。その判定結果、Ｌ１-ＰＯＳＴが使用可能でない場合、信号プロセッサ１２５０，１２５２は、ステップ３０１０に戻ってＬ１-ＰＲＥを復号化する前にステップ３０２０で現在のＬＣの次のＲＦチャンネルに移動する。
【０２７０】
その結果、ステップ３０１８でＬ１-ＰＯＳＴが使用可能である場合、信号プロセッサ１２５０，１２５２は、ステップ３０２２でＬ１-ＰＯＳＴを復号化し、所望するＰＬＰをステップ３０２４に復号化する。その後、信号プロセッサ１２５０，１２５２は、帯域内シグナリングを抽出し、ステップ３０２８に進行する前に、ステップ３０２６で時間及び周波数で所望するＰＬＰを追跡する。
【０２７１】
したがって、このような連続する受信段階で、所望するＬＣのＬＦを位置させることを可能にするために、受信器は、ＮＧＨフレームごとにＬ１_ＰＲＥを復号化し、分析する必要がない。ＬＣに関連したＬ１-ＰＲＥシグナリング及びそのＬＦをＮＧＨフレームにマッピングすることは、初期スキャニング段階及び初期受信段階でより速い獲得を有利にする。
【０２７２】
構成可能Ｌ１-ＰＯＳＴシグナリング(Ｌ１-ＣＯＮＦ)の信号フィールドの一例は、＜表６＞のように示される。
【０２７３】
【表６】
2015523765.tif 000012
2015523765.tif 000013
2015523765.tif 000014
【０２７４】
論理チャンネル構造２７００で、Ｌ１-ＣＯＮＦシグナリングフィールドの表の例内に含まれている複数の新規フィールドは、信号プロセッサにより導入される。
【０２７５】
ＬＣ_ＮＵＭ_ＬＦ：この８ビットフィールドは、現在論理チャンネルの現在論理スーパーフレームに含まれている論理フレームの個数を表す。このフィールドの最小値は、‘１’である。
【０２７６】
ＬＣ_ＬＦ_ＳＩＺＥ：この２２ビットフィールドは、ＱＡＭセルで、現在論理チャンネルの現在論理スーパーフレームに含まれている毎論理フレームのサイズを表す。
【０２７７】
下記のようなフィールドは、周波数ループで現れる。
【０２７８】
ＬＣ_ＲＦ_ＩＤＸ：この３ビットフィールドは、このループ内にリストされている各周波数のインデックスを表す。ＬＣ_ＲＦ_ＩＤＸ値は、０とＬＮＣ_ＮＵＭ_ＲＦ１との間の固有値で割り当てられる。多重ＲＦチャンネルにわたった周波数生成又はスライシングの場合(すなわち、ＬＣ_ＴＹＰＥ＝‘０１ｘ’及びＬＣ_ＮＵＭ_ＲＦ＞１)、このフィールドは、現在の論理チャンネルの構造内で各周波数のインデックスを表す。
【０２７９】
ＬＣ_ＲＦ_ＰＯＳ：この８ビットフィールドは、現在論理チャンネルの論理フレームを伝達するために使用されるＲＦチャンネルの１サイクルで、このループ内でリストされている各周波数の位置を表す。現在の論理チャンネルが１個の単一ＲＦチャンネルを使用する場合(すなわち、ＬＣ_ＮＵＭ_ＲＦ＝１)、このフィールドの値は、‘１１１１１１１１’と同一でなければならない。このフィールドを表す８ビットのシーケンスでｉ番目のビット位置での‘１’と同一の値は、ＬＣ_ＲＦ_ＩＤＸにより与えられたインデックスを有するＲＦチャンネルが現在の論理チャンネルの論理フレームを伝達するＲＦチャンネルのサイクルでのｉ番目の位置で使用されることを表す。所定の論理の論理フレームを伝達するＲＦチャンネルの１サイクルの最大長さは、８である。
【０２８０】
ＦＲＥＱＵＥＮＣＹ：この３２ビットフィールドは、そのインデックスがＬＣ_ＲＦ_ＩＤＸであるＲＦチャンネルの中心周波数をＨｚを用いて表す。論理チャンネル構造内の周波数の順序は、ＬＣ_ＲＦ_ＩＤＸにより指示される。ＦＲＥＱＵＥＮＣＹの値は、周波数が信号を構成する時間で知られないことを表す‘０’に設定することができる。このフィールドが０に設定される場合、受信器により周波数として解析されてはならない。
【０２８１】
このＦＲＥＱＵＥＮＣＹフィールドは、多重ＲＦチャンネルが使用される場合(すなわち、ＬＣ_ＴＹＰＥ＝‘０１ｘ’及びＬＣ_ＮＵＭ_ＲＦ＞１)、論理チャンネル構造の一部を形成する信号を検索することを補助するために受信器によって使用され得る。値が一般的にメイン送信器で設定され、送信器(transposer)で変更されないため、このフィールドの正確性は信頼されてはならない。
【０２８２】
ＰＬＰ_ＦＩＲＳＴ_ＬＦ_ＩＤＸ：この８ビットフィールドは、現在のＰＬＰを伝達する論理スーパーフレームの第１の論理フレームのインデックスを表す。ＰＬＰ_ＦＩＲＳＴ_ＬＦ_ＩＤＸの値は、ＰＬＰ_ＬＦ_ＩＮＴＥＲＶＡＬの値より小さくなければならない。
【０２８３】
ＰＬＰ_ＬＦ_ＩＮＴＥＲＶＡＬ：この８ビットフィールドは、論理スーパーフレーム内の該当するＰＬＰからのセルを伝達する任意の２個の論理フレーム間の複数の論理フレームで区間(ＩJUMP)を表す。論理スーパーフレームの論理フレームごとに現れないＰＬＰに対して、このフィールドの値は、連続的な論理フレーム間の区間と同一でなければならない。例えば、ＰＬＰが論理フレーム１，４，７で現れる場合、このフィールドは、‘３’に設定される。論理フレームごとに現れるＰＬＰに対して、このフィールドは、‘１’に設定されなければならない。
【０２８４】
動的Ｌ１-ＰＯＳＴシグナリング(Ｌ１-ＤＹＮ）のシグナリングフィールドの一例は、下記の＜表７＞のように表現される。
【０２８５】
【表７】
2015523765.tif 000015
【０２８６】
論理チャンネル構造２７００で、Ｌ１-ＤＹＮシグナリングフィールドの表の例に含まれている複数の新たなフィールドは、信号プロセッサにより導入される。
【０２８７】
ＬＦ_ＩＤＸ：この８ビットフィールドは、現在の論理スーパーフレーム内の現在の論理フレームのインデックスである。論理スーパーフレームの最初の論理フレームのインデックスは、‘０’に設定されなければならない。
【０２８８】
一部の実施形態において、フローチャートに示されている一部又はすべてのステップは、ハードウェアで実現でき、フローチャートに示されている一部又はすべてのステップは、ソフトウェアで実現できる。帯域内シグナリングタイプＡのシグナリングフィールドの一例は、次の＜表８＞のように示される。
【０２８９】
【表８】
2015523765.tif 000016
【０２９０】
Ｌ１_ＰＯＳＴ_ＤＥＬＴＡ：この２４ビットフィールドは、ＱＡＭセルで、Ｌ１_ＰＲＥシグナリングを伝達する最後のセルと現在のＮＧＨフレームで開始される最初の論理フレームの最初のセルとの間のギャップを表す。値(ＨＥＸ)ＦＦＦＦＦＦは、現在のＮＧＨフレームでいかなる新たな論理フレームも開始しないことを表す。
【０２９１】
ＬＣ_ＮＥＸＴ_ＦＲＡＭＥ_ＤＥＬＴＡ：この２４ビットフィールドは、現在のＮＧＨフレームと現在の論理チャンネルを伝達する次のＮＧＨフレームとの間のＴ周期での相対的タイミングを表す。
【０２９２】
ＰＬＰ_ＲＦ_ＩＤＸ_ＮＥＸＴ：ＬＣ  ｔｙｐｅ  Ｄ  ＰＬＰに対して、この３ビットフィールドは、ＰＬＰが発生する次の論理フレーム以後の論理フレームで現在のＰＬＰのＲＦ周波数を表す。この値は、Ｌ１_ＰＲＥのパラメータＬＣ_ＣＵＲＲＥＮＴ_ＦＲＡＭＥ_ＲＦ_ＩＤＸによって解析されなければならない。ＬＣタイプＡ，Ｂ，及びＣに対して、このフィールドは、将来的な使用のために予約される。
【０２９３】
図３１は、本発明の一部実施形態による伝達システムにおけるデータサービスの伝送に対するステージでの全体的な概要(overview)３１００を示す。
【０２９４】
図３１を参照すると、第１のステージは、転送階層３１２０にわたって、送信階層３１３０でサービス階層３１１０からデータＰＬＰ３１３２にデータサービス３１１２をマッピングさせることを含む。多様なデータサービス３１１２は、転送階層３１２０でコンポーネント部分３１２２に分割され、ＰＬＰ３１３２にマッピングされる。転送階層３１２０での制御データ３１２４は、送信階層３１３０で一つ以上の共通ＰＬＰ３１３４にマッピングされる。
【０２９５】
第２のステージは、本発明の一部の実施形態により、ＰＬＰ３１３２，３１３４を論理チャンネル、例えば第１のＬＣ(ＬＣ１)３１３６及び第２のＬＣ(ＬＣ２)３１３８にマッピングする。
【０２９６】
第３のステージは、本発明の一部の実施形態により、スケジューラ/マルチプレクサ３１４０を介して伝達システムにより使用される異なるＲＦチャンネル３１４２で物理フレームで論理チャンネル３１３６，３１３８のマッピングを提供する。
【０２９７】
本発明の一部側面がＤＶＢ-ＮＧＨシステムに対するその適用可能性を参照して説明したが、本発明は、このような特定無線ブロードキャスティングシステムに限定されないことがわかる。上記したコンセプトは、他の無線ブロードキャスティング及び通信システムに適用されることが予想される。また、本発明の一部の実施形態は、既存のＤＶＢ-Ｔ２システムに“ピギーバック”されるＤＶＢ-ＮＧＨシステムに対するその適用可能性を参照し、例えば以前に割り当てられた未来拡張フィールド(ＦＥＦ)を使用して説明したが、本発明は、新たな独立型(stand-alone)ＤＶＢ-ＮＧＨ(又は類似した)システムに適用されることが理解できる。
【０２９８】
従来のＤＶＢ-Ｔ２システムを考慮して、上記したようなコンセプトは、(受信側及び送信側の各々で各プロセッサの構成及び制御、プロセッシング符号化あるいは復号化により)少なくとも一つ以上の下記のような新規な特徴を説明する。
【０２９９】
・ＱＡＭセルで固定した能力を有する論理フレーム及びＬ１-ＰＯＳＴ(論理シグナリング)、共通ＰＬＰ、データＰＬＰ(異なるタイプの順序で)、補助ストリーム、及びダミーセルを有する論理フレーム構造のコンセプト、
・構成可能シグナリングが１個の論理スーパーフレーム内で定数に維持される論理スーパーフレーム及び他の特性のコンセプト、
・同期目的のためにＬＣの論理フレームごとに伝達されるＩＳＳＹフィールド(帯域内タイプＢ)、
・時間及び周波数ドメインを通じるバンドリング及びスライスを有する論理フレームと、この論理フレーム及び論理スーパーフレームを物理フレームにマッピングするための異なる論理チャンネルタイプのコンセプト、
・論理チャンネルグループのコンセプト、ここでグループのすべてのＬＣメンバーが一つの単一チューナを用いて受信するように時間で十分に分離されるそのスロットを有する(例えば、受信器が１個の単一チューナで同一のＬＣグループの多重ＬＣを受信することができる)、
【０３００】
＜上記のすべての特徴を反映する最適化した階層１のシグナリング＞
したがって、本発明の上記したような実施形態は、以上に説明したような新たなコンセプト及び/又は新たなデータフォーマットの各々を可能にするために送信及び受信側で両方とも信号プロセッサを説明する。各信号プロセッサは、プロセッサの動作に関連した方法と共に、送信又は受信通信ユニットについて説明される。これら動作方法は、任意のコンピュータ基盤の製品により遂行される実行可能なコードで格納され得る。
【０３０１】
図３２は、本発明の実施形態により、信号プロセッシング機能を実現するように採用される代表的なコンピュータシステム３２００を示す。このようなタイプのコンピュータシステムは、アクセスポイント及び無線通信ユニットで使用できる。また、関連技術分野の当業者は、他のコンピュータシステム又は構造を用いて本発明の実施形態を実現する方法を認識する。
【０３０２】
図３２を参照すると、コンピュータシステム３２００は、例えばデスクトップ、ラップトップあるいはノートブックコンピュータ、携帯用コンピュータデバイス(ＰＤＡ、携帯電話、パームトップ(palmtop)など)、メインフレーム、サーバ、クライアント、あるいは他の任意のタイプの所定のアプリケーション又は環境に対して、実施形態又は適合できる特別なあるいは一般的な目的のコンピュータデバイスを表すことができる。コンピュータシステム３２００は、プロセッサ３２０４のような一つ以上のプロセッサを含むことができる。プロセッサ３２０４は、例えばマイクロプロセッサ、マイクロ制御器、あるいは他の制御モジュールのような一般的なあるいは特定目的のプロセッシングエンジンを用いて実現することができる。この実施形態で、プロセッサ３２０４は、バス３２０２又は他の通信媒体に接続する。
【０３０３】
また、コンピュータシステム３２００は、情報とプロセッサ３２０４により実行される命令を格納するランダムアクセスメモリ(ＲＡＭ)又は他の動的メモリのようなメインメモリ３２０８を含むことができる。また、メインメモリ３２０８は、プロセッサ３２０４により実行される命令の実行中に臨時変数又は他の中間情報を格納するために使用することができる。コンピュータシステム３２００は、プロセッサ３２０４に対する固定情報及び命令を格納する読み取り専用メモリ(Read  Only  Memory：ＲＯＭ)あるいはバス３２０２に接続される他の静的(static)格納デバイスを含むことができる。
【０３０４】
さらに、コンピュータシステム３２００は、例えばメディアドライブ３２１２と除去可能な格納インターフェース３２２０を含む情報格納システム３２１０を含むことができる。メディアドライブ３２１２は、ハードディスクドライブ、フロッピー（登録商標）ディスクドライブ、磁気テープドライブ(magnetic  tape  drive)、光ディスクドライブ、コンパクトディスク(ＣＤ)あるいはデジタルビデオドライブ(ＤＶＤ)読み取り又は書き込みドライブ(Ｒ又はＲＷ)、あるいは他の除去可能あるいは固定したメディアドライブのような固定したあるいは除去可能な格納媒体をサポートするドライブあるいは他のメカニズムを含むことができる。格納メディア３２１８は、例えばハードディスク、フロッピー（登録商標）ディスク、磁気テープ、光ディスク、ＣＤ又はＤＶＤ、あるいは他のメディアドライブ３２１２により、固定あるいは読み取り及び書き込み除去可能なメディアを含むことができる。図示されている実施形態のように、格納メディア３２１８は、特定コンピュータソフトウェアあるいはそれに格納されたデータを有するコンピュータ読み取り可能格納媒体を含むことができる。
【０３０５】
他の実施形態において、情報格納システム３２１０は、コンピュータプログラムあるいは他の命令語あるいはデータがコンピュータシステム３２００にローディングされることを許容する他の類似したコンポーネントを含むことができる。上記のようなコンポーネントは、例えば、除去可能格納ユニット３２２２、プログラムカートリッジ、カートリッジインターフェースのようなインターフェース３２２０、除去可能なメモリ(例えば、フラッシュメモリ又は他の除去可能メモリモジュールとメモリスロット、他の除去可能格納ユニット３２２２、及びソフトウェア及びデータを除去可能格納ユニット３２１８からコンピュータシステム３２００に伝送されることを許容するインターフェース３２２０を含むことができる。
【０３０６】
また、コンピュータシステム３２００は、通信インターフェース３２２４を含むことができる。通信インターフェース３２２４は、コンピュータシステム３２００と外部デバイスとの間でソフトウェア及びデータを伝送させるように許容するために使用することができる。通信インターフェース３２２４の実施形態は、モデム、(イーサネット（登録商標）(Ethernet（登録商標）)あるいは他のＮＩＣカードのような)ネットワークインターフェース、(例えば、ユニバーサルシリアルバス（Universal  Serial  Bus：ＵＳＢ)ポートのような)通信ポート、ＰＣＭＣＩＡスロット及びカードなどを含むことができる。通信インターフェース３２２４を介して伝送されるソフトウェア及びデータは、電気的、電磁気的、及び光学的になる信号、あるいは通信インターフェース３２２４により受信される他の信号の形態である。これら信号は、チャンネル３２２８を介して通信インターフェース３２２４に提供される。このチャンネル３２２８は、信号を伝達し、無線媒体、有線又はケーブル、光ファイバ、あるいは他の通信媒体を用いて実現することができる。チャンネルの一部例は、電話ライン、移動電話リンク、ＲＦリンク、ネットワークインターフェース、ローカルあるいは広域ネットワーク、及び他の通信チャンネルを含む。
【０３０７】
本願で、用語“コンピュータプログラム製品”、“コンピュータ読み取り可能媒体”は、一般的に一例として、メモリ３２０８、格納デバイス３２１０、又は格納ユニット３２２２のようなメディアを参照して使用することができる。これら及びコンピュータ読み取り可能メディアの他の形態は、プロセッサが特定動作を遂行することを招く、プロセッサ３２０４により使用される一つ以上の命令語を格納することができる。一般的に(コンピュータプログラムあるいは他のグルーピングの形態でグルーピングされる)‘コンピュータプログラムコード’と称される命令語は、実行される場合、コンピュータシステム３２００が本発明の実施形態の機能を遂行することを可能にする。コードは、直接にプロセッサがこのためにコンパイルされる、及び/あるいはこのために他のソフトウェア、ハードウェア、及び/又はファームウェアエレメント(例えば、標準機能を実行するライブラリ(library)）と組み合わせる特定動作を実行することを招くことに留意しなければならない。
【０３０８】
エレメントがソフトウェアを用いて実現される一実施形態で、ソフトウェアは、コンピュータ読み取り可能媒体に格納でき、例えば除去可能格納ドライブ３２２２、ドライブ３２１２又は通信インターフェース３２２４を用いてコンピュータシステム３２００にローディングできる。制御モジュール(この実施形態では、ソフトウェア命令語あるいはコンピュータプログラムコード）は、プロセッサ３２０４により実行される場合、プロセッサ３２０４は、ここで説明されることと共に本発明の機能を遂行するようになる。
【０３０９】
特に、上記したような本発明のコンセプトは、上記したような動作のうちいずれか一つを遂行するために構成される信号プロセッサを含む集積回路に対する半導体製造社により適用可能であることが予想される。さらに、本発明のコンセプトは、無線分散に対する信号を構成し、処理し、符号化及び/又は復号化する回路に適用することができる。また、例えば、半導体製造社は、デジタル信号プロセッサのような独立型デバイス、あるいは注文型半導体(Application-Specific  Integrated  Circuit：ＡＳＩＣ)及び/又は他のサブシステムエレメントの設計の際に、本発明のコンセプトを採用することができる。
【０３１０】
明瞭性の目的のために、上記説明は、異なる機能ユニット及びプロセッサを参照して本発明の実施形態を説明したことがわかる。しかしながら、異なる機能ユニットあるいはプロセッサ間の機能性の適合した分散は、例えば、信号プロセッサ１２５０，１２５２に関して、本発明から外れずに使用できることは明らかである。例えば、分離されたプロセッサ又は制御器により実行される図示の機能性は、同一のプロセッサあるいは制御器により実行され得る。それによって、特定の機能ユニットに対する参照番号は、厳格な論理あるいは物理構造又は組織の指示よりは、上記したような機能性を提供する適合した手段に対する参照番号として理解する。
【０３１１】
本発明の側面は、ハードウェア、ソフトウェア、ファームウェアあるいはそれらの組み合わせを含む適合した形態で実現することができる。本発明は、選択的に、少なくとも部分的には、一つ以上のデータプロセッサで実行されるコンピュータソフトウェア及び/又はデジタル信号プロセッサあるいはＦＰＧＡデバイスのような構成可能モジュールコンポーネントとして実現することができる。したがって、エレメント及び本発明の一実施形態のコンポーネントは、適合した方式を使用して物理的に、機能的に、論理的に実現することができる。実質的に、機能性は、単一ユニット、あるいは複数のユニットを用いて、あるいは他の機能ユニットの一部として実現することができる。
【０３１２】
本発明が一部の実施形態に関連して説明しても、ここでは特定形態に限定されるように意図されない。その上、本発明の権利範囲は、以下の請求項により制限される。その上、特徴が特定実施形態と関連して説明されても、本発明の技術分野の当業者は、上記したような実施形態の多様な特徴が本発明により結合されることを認識できる。請求項で、‘含む(comprising)’との用語は、他のエレメントあるいはステップの存在を排除しない。
【０３１３】
さらに、別途にリストされてあっても、複数の手段と、エレメントあるいは方法のステップは、例えば単一ユニットあるいはプロセッサにより実現することができる。追加的に、個別的な特徴が異なる請求項に含まれても、これらは可能なかぎり有利に組み合わせられ、相互に異なる請求項での包含事項は、特徴の結合が実現できず、及び/あるいは有利でないことを暗示しない。また、１個のカテゴリーの請求項で特徴の包含事項は、該当カテゴリーに対する限定を暗示しないが、その特徴は、適合した場合、他の請求項のカテゴリーにも同一に適用可能であることを表す。
【０３１４】
したがって、デジタルビデオ放送システムにおけるデータストリームの送信及び受信に関連した信号プロセッサ、通信ユニット、通信システム、及びその方法が説明され、従来技術の上記したような短所が格段に緩和される。
【０３１５】
以上、本発明の詳細な説明において具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０３１６】
１００  フレーム構成
１０２、１０４  データサービス
１１０  シグナリング部分
１１２  プリアンブルセクション
１１４  データセクション
１１６  ＦＥＦスロット
２００  フレーム
２０２  プリアンブルセクション
２０４  データセクション
２０６  Ｐ１シグナリング部分
２０８  Ｐｒｅシグナリング部分
２１０  Ｌ１−Ｃｏｎｆｉｇシグナリング部分
２１２  Ｌ１−Ｄｙｎシグナリング部分
２１６  ＣＲＣ部分
２１８  Ｌ１Ｐａｄｄｉｎｇ部分
３００  フレーム構造
３０２  定数データ
３０４  構成データ
３０６  ＩＤ
６００  サイクル
１１００  論理チャンネルタイプＢ構造
１１０２  ネットワークオペレータ
１１０４  サービス
１１０６  制御データ
１１０８  ネットワークゲートウェイ
１１１０  ＰＬＰ
１１１２  制御データ
１１１４  送信器
１２００  無線ブロードキャスティングシステム
１２０２  サービスプロバイダ
１２０４  サービス
１２０６  制御チャンネル
１２１０  ネットワークオペレータ
１２１２  ネットワークゲートウェイ
１２１４  ＰＬＰ
１２１６  制御ＰＬＰ
１２２０、１２２２  送信器
１２３０、１２３２、１２５０、１２５２  信号プロセッサブロック
１３００、１３０２、１３０４、１３０６、１３０８  データアイテム
１３１４  ＩＤ
１６００  受信器
１６０２  アンテナ
１６０４  アンテナスイッチ
１６０６  フロントエンド回路
１６１０  出力デバイス
１６１４  制御器
１６１６  メモリデバイス
１６１８  タイマ
１６２０  入力デバイス
１６２２  送信器／変調回路
１６２４  電力増幅器
１６５０、１６５２  信号プロセッシング機能ブロック
１７００  論理フレーム
１７０２  Ｌ１−ＰＯＳＴシグナリングフィールド
１７０４  共通ＰＬＰ
１７０６、１７０８、１７１０、１７１２  データＰＬＰ
１７１４  補助ストリーム
１７１６  ダミーセル
１８００  マッピング配列
１８０２  ＰＯＳＴシグナリング
１８０４  共通ＰＬＰ
１８０６、１８０８、１８１０、１８１２、１８１７  ＰＬＰ
１８１４  補助ストリーム
１８１６  ダミーセル
１９００  論理フレーム構造
１９０２  共通ＰＬＰ
１９０４、１９０６  ＰＬＰ
１９０８  サブスライス区間
１９１４、１９１６  サブスライス
１９１８  セル
２０００  論理フレーム構造
２００２  共通ＰＬＰ
２００４、２００６  ＰＬＰ
２００８  基底帯域フレーム
２０１０  ＢＢヘッダーフィールド
２０１２  ＰＬＰに対するデータ
２０１４  帯域内シグナリング
２０２０  ＩＳＳＹフィールド
２１００  論理スーパーフレーム
２１０２、２１１２  ＰＯＳＴ
２１０４、２１１４  データＰＬＰ
２１１０、２１２０  論理フレーム
２２００  論理チャンネル
２２０２  ＰＯＳＴシグナリング
２２１０、２２１２  論理フレーム
２３００  論理チャンネルタイプＡ構造
２３０２  チャンネル
２３０４、２３０６  論理フレーム
２３０８  論理チャンネル
２３１０  物理フレーム
２３１２  未来拡張フィールド
２４０２、２４０３  物理フレーム
２４０４、２４０６  論理フレーム
２４０８  論理チャンネル
２４１０  チャンネル
２４１２  ＰＲＥシグナリング
２５００  論理チャンネルタイプＣ構造
２５０２、２５０４、２５０６  チャンネル
２５１０  Ｌ１＿ＰＲＥシグナリング
２５１２、２５１４、２５１６  第１の論理チャンネル
２５１８、２５２０、２５２２  第２の論理チャンネル
２６００  論理チャンネルタイプＤ構造
２６０８、２６１０  フレーム
２７００  論理チャンネル構造
３１１０  サービス階層
３１１２  データサービス
３１２０  転送階層
３１２２  コンポーネント
３１２４  制御データ
３１３０  送信階層
３１３２  ＰＬＰ
３１３６、３１３８  論理チャンネル
３１４０  マルチプレクサ
３１４２  チャンネル
３２００  コンピュータシステム
３２０２  バス
３２０４  プロセッサ
３２０８  メモリ
３２１０  格納システム
３２１２  ドライブ
３２１８  メディア
３２２０  インターフェース
３２２２  格納ユニット
３２２４  通信インターフェース
３２２８  チャンネル
【図１】
2015523765.tif 000017
【図２】
2015523765.tif 000018
【図３Ａ】
2015523765.tif 000019
【図３Ｂ】
2015523765.tif 000020
【図４】
2015523765.tif 000021
【図５Ａ】
2015523765.tif 000022
【図５Ｂ】
2015523765.tif 000023
【図６Ａ】
2015523765.tif 000024
【図６Ｂ】
2015523765.tif 000025
【図７】
2015523765.tif 000026
【図８Ａ】
2015523765.tif 000027
【図８Ｂ】
2015523765.tif 000028
【図９】
2015523765.tif 000029
【図１０】
2015523765.tif 000030
【図１１】
2015523765.tif 000031
【図１２】
2015523765.tif 000032
【図１３Ａ】
2015523765.tif 000033
【図１３Ｂ】
2015523765.tif 000034
【図１４Ａ】
2015523765.tif 000035
【図１４Ｂ】
2015523765.tif 000036
【図１５】
2015523765.tif 000037
【図１６】
2015523765.tif 000038
【図１７】
2015523765.tif 000039
【図１８】
2015523765.tif 000040
【図１９】
2015523765.tif 000041
【図２０】
2015523765.tif 000042
【図２１】
2015523765.tif 000043
【図２２】
2015523765.tif 000044
【図２３】
2015523765.tif 000045
【図２４】
2015523765.tif 000046
【図２５】
2015523765.tif 000047
【図２６】
2015523765.tif 000048
【図２７ａ】
2015523765.tif 000049
【図２７ｂ】
2015523765.tif 000050
【図２８】
2015523765.tif 000051
【図２９】
2015523765.tif 000052
【図３０】
2015523765.tif 000053
【図３１】
2015523765.tif 000054
【図３２】
2015523765.tif 000055
【国際調査報告】
2015523765.tif 000056
2015523765.tif 000057